(57)【特許請求の範囲】
【請求項１】
通信ネットワークを介して通信可能な洗濯機及び情報端末を備え、
前記洗濯機は、前記通信ネットワークを介して通信するための通信手段と、現在時刻を運針する時計運針手段と、を備え、
前記情報端末は、前記洗濯機の洗濯運転に関する設定を行うための報知手段および操作手段と、現在時刻を運針する時計運針手段と、前記洗濯機の洗濯運転に関する設定等を前記通信ネットワークを介して前記洗濯機と通信するための通信手段と、を備え、前記情報端末での洗濯運転に関する設定には少なくとも洗濯運転の予約設定を含み、
前記洗濯運転の予約設定には前記情報端末の時計運針手段によって運針されている現在時刻を元にした運転予約の時刻情報を含み、
前記情報端末から前記洗濯機に送信された前記情報端末の現在時刻を、前記洗濯機の前記時計運針手段で運針している現在時刻に書き換え可能か否かを前記洗濯機が判定することとし、
前記判定の方法として前記洗濯機の現在時刻と関連した状態に前記洗濯機がある場合については書き換え不可能と判定しつつ、
前記洗濯機の現在時刻と関連した状態に前記洗濯機がある場合においても、
前記情報端末から送信される洗濯運転に関する設定を前記洗濯機に反映させることによって前記現在時刻と関連した状態から前記洗濯機が状態変化する場合においては、
前記情報端末の現在時刻で前記洗濯機の現在時刻を書き換えることを特徴とする洗濯機システム。
【請求項２】
前記運転予約の時刻情報は、前記情報端末の現在時刻と運転予約した時刻の差分の時間を算出したものであることとし、前記差分の時間を算出してから前記洗濯機への時刻情報の送信を行うまでの時間に制限を設け、前記制限は、運転予約の時刻を設定することが出来る単位時間よりも短く設定することとし、前記洗濯機において、前記情報端末から送信された前記情報端末の現在時刻と、前記情報端末の現在時刻と運転予約した時刻の差分の時間とから前記運転予約した時刻を再構成することとし、前記洗濯機から前記情報端末に前記洗濯機に前記時計運針手段が機能しているか否かの情報を送信し、前記情報端末は前記洗濯機の時計運針手段が機能していると受信された場合のみ前記情報端末の前記時計運針手段の現在時刻を前記洗濯機に送信することを特徴とする請求項１記載の洗濯機システム
。
【発明の詳細な説明】
【技術分野】
【０００１】
本発明は、洗濯機の運転設定を通信ネットワークを介して外部機器で実施する洗濯機システムに関し、特に、時計機能を持つ洗濯機に対して、洗濯機の時計を通信ネットワークを介して合わせる洗濯機システムに関するものである。
【背景技術】
【０００２】
近年の洗濯機においては、低価格な夜間電力料金の利用の為や、使用者の留守中に洗濯を実施し使用者の帰宅時に洗濯完了を行う為などを目的として、洗濯動作の予約機能があるものが一般的である。洗濯動作の予約機能の設定に際しては、所望の洗濯運転設定を行った後、その洗濯運転の開始を遅らせて動作することを洗濯機に指示することとなる。洗濯運転の開始を遅らせる動作を設定するためには、運転を終了する予定の時刻、もしくは運転を開始する予定の時刻を使用者に指定させるのが、使用者の利便性としては好ましい。
【０００３】
時刻によって設定させる為には、洗濯機の機能として時計機能を備えるようにすることになる。ただし、一般に時計機能は時間経過によって正しい時刻からずれていくため、何らか時計を合わせる機能が必要となる。使用者に対して時計を合わせるためのインタフェースを洗濯機として提供し、手動で合わせるのが最も一般的だが、手動での時計あわせは使用者の利便性の観点で好ましくない。
【０００４】
これに対して、たとえば特許文献１には、洗濯機を含む電気機器の時計の時刻を、携帯電話の時刻で合わせるというシステムが開示されている。
【先行技術文献】
【特許文献】
【０００５】
【特許文献１】特開２００８−９６３８９号公報
【発明の概要】
【発明が解決しようとする課題】
【０００６】
しかるに特許文献１に開示された従来の構成では、洗濯機を含む電気機器が、時刻合わせを行うタイミングとなった場合に、必ず携帯電話と無線通信出来ることが必要とされるが、洗濯機と携帯電話の置かれている場所によっては、常に無線通信が可能とは限らない。使用者は、時刻合わせという処理を行う際に、基本的には洗濯機と関係の無い携帯電話を洗濯機近くに配置する必要があることとなり、利便性の観点で課題である。
【０００７】
従って本発明は、使用者に対して、洗濯機の時計合わせを意識させることなく実施させ、より利便性を向上させた洗濯機システムを提供することを目的とする。
【課題を解決するための手段】
【０００８】
前記従来の課題を解決するために、本発明の洗濯機システムは、前記通信ネットワークを介して通信するための通信手段と、現在時刻を運針する時計運針手段と、を備え、前記情報端末は、前記洗濯機の洗濯運転に関する設定を行うための報知手段および操作手段と、現在時刻を運針する時計運針手段と、前記洗濯機の洗濯運転に関する設定等を前記通信ネットワークを介して前記洗濯機と通信するための通信手段と、を備え、前記情報端末での洗濯運転に関する設定には少なくとも洗濯運転の予約設定を含み、前記洗濯運転の予約設定には前記情報端末の時計運針手段によって運針されている現在時刻を元にした運転予約の時刻情報を含み、前記情報端末から前記洗濯機に送信された前記情報端末の現在時刻を、前記洗濯機の前記時計運針手段で運針している現在時刻に書き換え可能か否かを前記洗濯機が判定することとし、前記判定の方法として前記洗濯機の現在時刻と関連した状態に前記洗濯機がある場合については書き換え不可能と判定しつつ、前記洗濯機の現在時刻と関連した状態に前記洗濯機がある場合においても、前記情報端末から送信される洗濯運転に関する設定を前記洗濯機に反映させることによって前記現在時刻と関連した状態から前記洗濯機が状態変化する場合においては、前記情報端末の現在時刻で前記洗濯機の現在時刻を書き換えることにより、使用者が洗濯機の現在時刻情報を元にした操作を行っている場合に現在時刻を情報端末の現在時刻で書き換えることを防ぐことができ、使用者に対して洗濯機の時計合わせを行う為だけに特別な操作を必要としないインタフェースを提供しつつ、時計合わせを自動で行う際に使用者の意図しない状態になることを防ぐことができる。
【発明の効果】
【０００９】
本発明の洗濯機システムは、洗濯機の時計合わせを、使用者に対して時計合わせを実施していることを意識させることなく実施するインタフェースを提供することが出来る。
【図面の簡単な説明】
【００１０】
【図１】本発明の実施の形態における洗濯機システムの概略構成図
【図２】洗濯運転中の工程の概念図
【図３】本発明の実施の形態における洗濯機システムの構成図
【図４】洗濯機情報サーバ上の洗剤銘柄毎の洗剤データベースの例を示す図
【図５】洗濯機情報サーバ上の使用者情報データベースの例を示す図
【図６】本発明の洗濯機システムのフローチャートを示す図
【図７】本発明の洗濯機システムのフローチャートを示す図
【図８】本発明の洗濯機システムのフローチャートを示す図
【図９】本発明の洗濯機システムのフローチャートを示す図
【図１０】本発明の洗濯機システムのフローチャートを示す図
【図１１】本発明の洗濯機システムのフローチャートを示す図
【図１２】本発明の洗濯機システムのフローチャートを示す図
【図１３】洗濯機での洗剤・柔軟剤投入量表示の例を示す図
【図１４】洗濯機での洗剤・柔軟剤投入量表示の例を示す図
【図１５】洗濯機での洗剤・柔軟剤投入量表示の例を示す図
【図１６】洗濯機での洗剤・柔軟剤投入量表示の例を示す図
【図１７】情報端末での通信指示画面の例を示す図
【図１８】情報端末での機器操作メニュー画面の例を示す図
【図１９】情報端末での洗剤・柔軟剤設定メュー画面の例を示す図
【図２０】情報端末での洗剤選択画面の例を示す図
【図２１】情報端末での洗剤関連画面の例を示す図
【図２２】情報端末での柔軟剤選択画面の例を示す図
【図２３】情報端末でのコース選択画面の例を示す図
【図２４】情報端末での運転予約設定画面の例を示す図
【図２５】情報端末での予約時刻設定画面の例を示す図
【図２６】情報端末での警告画面の例を示す図
【図２７】本発明の洗濯機システムでの運転予約設定のフローチャートを示す図
【図２８】本発明の洗濯機システムでの運転予約設定のフローチャートを示す図
【図２９】本発明の洗濯機システムの運転予約動作のフローチャートを示す図
【図３０】本発明の洗濯機システムの時刻情報受付処理のフローチャートを示す図
【図３１】本発明の洗濯機システムのコース情報データベースの例を示す図
【図３２】洗濯機での運転予約設定画面の例を示す図
【図３３】洗濯機でのコース運転設定画面の例を示す図
【図３４】情報端末での通信失敗を通知する画面の例を示す図
【図３５】本発明の洗濯機システムの予約設定反映処理のフローチャートを示す図
【発明を実施するための形態】
【００１１】
第１の発明は、前記通信ネットワークを介して通信するための通信手段と、現在時刻を運針する時計運針手段と、を備え、前記情報端末は、前記洗濯機の洗濯運転に関する設定を行うための報知手段および操作手段と、現在時刻を運針する時計運針手段と、前記洗濯機の洗濯運転に関する設定等を前記通信ネットワークを介して前記洗濯機と通信するための通信手段と、を備え、前記情報端末での洗濯運転に関する設定には少なくとも洗濯運転の予約設定を含み、前記洗濯運転の予約設定には前記情報端末の時計運針手段によって運針されている現在時刻を元にした運転予約の時刻情報を含み、前記情報端末から前記洗濯機に送信された前記情報端末の現在時刻を、前記洗濯機の前記時計運針手段で運針している現在時刻に書き換え可能か否かを前記洗濯機が判定することとし、前記判定の方法として前記洗濯機の現在時刻と関連した状態に前記洗濯機がある場合については書き換え不可能と判定しつつ、前記洗濯機の現在時刻と関連した状態に前記洗濯機がある場合においても、前記情報端末から送信される洗濯運転に関する設定を前記洗濯機に反映させることによって前記現在時刻と関連した状態から前記洗濯機が状態変化する場合においては、前記情報端末の現在時刻で前記洗濯機の現在時刻を書き換えることとしている。
【００１４】
これにより、使用者が洗濯機の現在時刻情報を元にした操作を行っている場合に現在時刻を情報端末の現在時刻で書き換えることを防ぐことができる。使用者に対して洗濯機の時計合わせを行う為だけに特別な操作を必要としないインタフェースを提供しつつ、時計合わせを自動で行う際に使用者の意図しない状態になることを防ぐことができるわけである。
【００１５】
第２の発明は、第１の発明に対し、前記運転予約の時刻情報は、前記情報端末の現在時刻と運転予約した時刻の差分の時間を算出したものであることとし、前記差分の時間を算出してから前記洗濯機への時刻情報の送信を行うまでの時間に制限を設け、前記時間制限は、運転予約の時刻を設定することが出来る単位時間よりも短く設定することとし、前記洗濯機において、前記情報端末から送信された前記情報端末の現在時刻と、前記情報端末の現在時刻と運転予約した時刻の差分の時間とから前記運転予約した時刻を再構成することとしている。
【００１６】
これにより、洗濯機に時計機能が無い場合や時計機能が電池切れなどで動作していない場合でも、情報端末においては運転予約を時刻にて指定することができ、かつ情報端末と洗濯機の間の運転予約情報のやりとりは時計機能が動作している場合と共通にすることができる。また、時計合わせの情報は必要な場合のみ通信されるので無駄な通信を行う必要が無くなる。さらに、洗濯機において情報端末で指定した運転予約時刻を再構成することができるので、使用者にわかりやすいインタフェースを提供することができる。
【００１７】
以下、本発明の実施の形態について、図面を参照しながら説明する。なお、この実施の形態によって本発明が限定されるものではない。
【００１８】
図１は、本発明の実施の形態における電気機器が含まれるシステムの全体構成を示す図である。このシステムは、電気機器である洗濯機１と情報端末１０とサーバ３００とを備える。
【００１９】
ＲＦＩＤ（Ｒａｄｉｏ  Ｆｒｅｑｕｅｎｃｙ  ＩＤｅｎｔｉｆｉｃａｔｉｏｎ）又は
ＮＦＣ（Ｎｅａｒ  Ｆｉｅｌｄ  Ｃｏｍｍｕｎｉｃａｔｉｏｎ）によってリーダ／ライタと通信可能な機器である。洗濯機１は、ループアンテナ２７を介して近距離無線通信を利
用して情報端末１０と通信する。洗濯機１の洗濯運転とは、衣類を洗濯水に浸し洗濯槽を回転することで汚れを落とす洗い運転、洗剤水で浸った衣類を水ですすぐすすぎ運転、水を含んだ衣類を脱水する脱水運転、温風をあてて衣類を乾燥させる乾燥運転の少なくとも１つを含んだ形で構成されている。そして、この各運転は、更に各種工程を行うことである。例えば、洗い運転であれば、布量判定工程、洗剤量表示工程、給水工程、押し洗い工程、もみ洗い工程…といった具合である。
【００２０】
図２は、ある洗濯運転における実施する工程を示す図である。この洗濯運転は、各運転（洗い、すすぎ、脱水、乾燥）を実施する運転である。
【００２１】
情報端末１０は、例えば携帯電話機などの通信装置から構成され、ループアンテナ１０６を介して近距離無線通信を利用して洗濯機１と通信するとともに、ネットワーク２００を介してサーバ３００と通信可能に接続されている。情報端末１０は、洗濯機１のＲＦＩＤ又はＮＦＣと通信可能なリーダ／ライタを備える機器であればどのような機器であってもよいが、可搬性のある機器がより好ましい。
【００２２】
サーバ３００は、公知のサーバコンピュータ等から構成され、ネットワーク２００を介して情報端末１０と通信可能に接続されている。
【００２３】
図３は、本発明の形態における電気機器が含まれる詳細な構成を示す図である。
【００２４】
情報端末１０は、第１通信手段１０１、第２通信手段１０２、報知手段１０３、操作手段１０４、制御手段１０５、ループアンテナ１０６及び時計運針手段１０７を備える。
【００２５】
第１通信手段１０１は、ループアンテナ１０６を介して近距離無線通信を利用して洗濯機１と通信する。
【００２６】
ループアンテナ１０６は、近接無線通信を行うためのアンテナである。本実施の形態では、近接無線通信として、例えば１３．５６ＭＨｚ帯を用いる高周波数帯域のＲＦＩＤ又はＮＦＣを想定しているが、この周波数帯に限定されることはない。近接無線通信の周波数帯は、９０ＭＨｚ〜１ＧＨｚのＵＨＦ帯であってもよく、２ＧＨｚ帯を越える周波数帯であってもよい。
【００２７】
近接無線通信は、通信距離が短く、通信を行う２つの無線通信機器のループアンテナ同士を接近させる必要がある。無線通信機器のループアンテナが実装されている面には、ループアンテナの位置を表すマークが付されており、使用者は２つの無線通信機器のマーク同士を接近させて、２つの無線通信機器間で通信を行わせる。携帯電話機に内蔵されるＲＦＩＤはループアンテナの出力を上げることができないため、例えば数ｍｍ単位でのループアンテナ同士の位置合わせが必要であり、互いのループアンテナを正確に接近させる必要がある。
【００２８】
なお、本実施の形態では、第１通信手段１０１は、ループアンテナ１０６を介して近距離無線通信を利用して洗濯機１と通信しているが、本発明は特にこれに限定されず、近距離無線通信以外の電波又は光などを用いた他の無線通信を利用してもよい。
【００２９】
第２通信手段１０２は、ネットワーク２００を利用してサーバ３００と通信する。
なお、ネットワーク２００は、例えば移動体通信網である。
【００３０】
報知手段１０３は、使用者に洗濯機１で利用する洗剤もしくは柔軟剤を選択・設定するための画面や、設定された洗剤もしくは柔軟剤に関する情報を洗濯機１に送信させること
を使用者に指示する通信指示画面、運転予約設定するための画面等を表示する。操作手段１０４は、例えばタッチパネル又は操作キーなどで構成され、使用者による入力操作を受け付け、報知手段１０３で表示される洗剤もしくは柔軟剤を選択・設定する画面や運転予約設定するための画面での入力操作に利用される。
【００３１】
制御手段１０５は、情報端末１０全体を制御し、表示制御部１０５ａ、第１通信制御部１０５ｂ及び第２通信制御部１０５ｃを備える。  表示制御部１０５ａは、報知手段１０３に表示する表示画面を切り替える。例えば、洗剤もしくは柔軟剤を選択・設定するための画面での選択・設定終了後に、通信指示画面に切り換えるといった具合である。第１通信制御部１０５ｂは、第１通信手段１０１を制御する。第２通信制御部１０５ｃは、第２通信手段１０２を制御する。
【００３２】
本実施の形態において、通信指示画面は、第１通信手段１０１と洗濯機１とが通信するために第１通信手段１０１と洗濯機１とを近接させることを使用者に指示するための画面である。第１通信手段１０１は、第１通信手段１０１と洗濯機１とが通信可能な距離に近接された後、洗剤もしくは柔軟剤に関する情報等を洗濯機１に送信する。
【００３３】
第２通信手段１０２は、サーバ３００が決定した表示する画面情報を受信する。表示する画面情報とは、例えば、使用者に洗濯機１で利用する洗剤もしくは柔軟剤を選択・設定させるための画面に出力される画面であったり、既に選択された洗剤もしくは柔軟剤の設定を画面に出力する画面であったり、使用者に洗濯機１と情報端末１０を近接させることを指示する画面であったり、使用者に洗濯機１の運転予約設定を行わせるための画面である。第２通信手段１０２は、さらに、サーバ３００が決定した洗濯機１に送信すべき情報を受信する。洗濯機１に送信すべき情報とは、使用者が選択した洗剤もしくは柔軟剤に対応した、洗濯機１の制御及び表示に利用する情報であったり、洗濯機１の運転予約設定を行うための情報である。
【００３４】
時計運針手段１０７は、情報端末１０で時刻表示を行う為に現在時刻を更新するためのものである。たとえば、情報端末１０中のマイコンのタイマー機能を利用して所定の単位の時間の経過を検知し、その経過時間を積算して現在時刻の更新を行うことで実現される。情報端末１０は常時電源コードなどに接続されずに使用される為、情報端末１０は必要な電力を得るために二次電池等のバッテリを搭載しており、時計運針手段１０７もこのバッテリによって電力供給を受けて現在時刻を保持・更新することとなる。
【００３５】
なお、何らかの理由によりバッテリによる電力供給が途絶えると、その後の電力供給が再開されても電力供給がとぎれている間の時計の運針は行われない為、時計運針手段１０７による情報端末１０の時刻は、正しくないものとなる。また、前記のマイコンのタイマー機能による時間更新はマイコンのクロックの精度によって厳密には早くなったり遅くなったりする為、長時間動作させると、時計運針手段１０７の時刻は正しくないものとなる可能性がある。その為、情報端末１０の制御手段１０５は、第２通信手段１０２を介し、ネットワーク２００から現在時刻を定期的に取得し、時計運針手段１０７の現在時刻と比較し、更新が必要な場合は時計運針手段１０７の現在時刻をネットワーク２００から取得した現在時刻で上書きする。
【００３６】
洗濯機１は、洗濯機本来の機能である洗い、すすぎ、脱水、乾燥などを行う洗い・すすぎ、脱水・乾燥手段２１（以下、洗濯手段２１と記載する）、通信手段２２、制御手段２３、記憶手段２４、操作手段２５、表示手段２６、ループアンテナ２７及び時計運針手段２８を備える。
【００３７】
洗濯手段２１とは、洗い、すすぎ、脱水、乾燥の各機能を実現するものであり、洗濯槽
を回すモータ、給水量を調整する給水弁、排水するための排水弁、洗濯、すすぎ水を循環させるための循環ポンプ、風呂水を洗濯機１に引き入れるために使用するパスポンプ、乾燥させるために温風を発生させるヒータ、ポンプを循環させる送付ファンなどから構成させる。
【００３８】
通信手段２２とは、ループアンテナ２７を介して近接無線通信により双方向で種々の情報を情報端末１０と送信及び受信する。ループアンテナ２７は、近接無線通信を行うためのアンテナである。なお、通信手段２２が受信部と送信部の一例に相当する。
【００３９】
前述のとおり、近接無線通信を行う為には、は通信を行う機器のループアンテナを近づける必要がある。本実施例では、洗濯機１のループアンテナ２７と、情報端末１０のループアンテナ１０６を近づける必要がある。これは使用者によって情報端末１０を洗濯機１に近づけるという行為によって実現されるため、実際の通信を行うに当たっては、通信相手が近くにあって通信が可能な状態か否かを検出する必要がある。
【００４０】
そこで、例えば情報端末１０の第１通信手段１０１は、定期的にポーリングコマンドをループアンテナ１０６を介して送信するようにする。ポーリングコマンドが実行された際に、情報端末１０のループアンテナ１０６が洗濯機１のループアンテナ２７とが近接無線通信可能な距離の範囲内に存在した場合、洗濯機１の通信手段２２は、ポーリングコマントを受信することによって情報端末１０の存在を認識し、そのポーリングに応答してレスポンスコマンドを情報端末１０へ送信する。情報端末１０の第１通信手段１０１は、レスポンスコマンドを受信することによって、洗濯機１の存在を認識する。このように洗濯機１の通信手段２２と、情報端末１０の第１通信手段１０１が互いの存在を認識することで、洗濯機１と情報端末１０の間で近接無線通信を行うことができるようになる。このように洗濯機１と情報端末１０の間で通信可能な状態になることを通信確立と称する。通信確立の方法は、上記のようなポーリングコマンドとレスポンスコマンドによる方法に限らない。通信確立の際、情報端末１０の第１通信手段１０１がポーリングコマンドを送信するとしたが、これに限定されるものではなく、洗濯機１の通信手段２２からポーリングコマンドを送信するようにしても良い。
【００４１】
制御手段２３とは、マイクロコンピュータであり、洗濯機１を機能させるために予め作成されたプログラムとデータ等を格納するメモリ（図示せず）を備えている。
【００４２】
工程管理部２３ａは、各運転（洗い、すすぎ、脱水、乾燥）において実施する工程を管理するともに、洗濯手段２１を制御する。洗濯手段２１を制御するとは、洗濯槽の揺れを検知しながらモータの回転を制御したり、洗濯槽に給水された水位を検知して給水弁を開閉させたり、排水弁を開閉させたり、温風の温度を検知しながらヒータをＯＮ／ＯＦＦさせたりすることである。
【００４３】
制御手段２３は、洗濯手段２１を制御して、洗濯機に投入された衣類の量を検知する布量検知部２３ｄを備える。布量検知部２３ｄは、衣類が投入された洗濯槽を回すモータを一定トルクで駆動するように洗濯手段２１を制御し、洗濯槽の回転数を監視することで洗濯槽に投入された衣類の量を検知する。なお、布量検知の方式は特に上記方式に限定されるものではなく、洗濯機に投入された衣類の量を検知することが出来れば良い。給水時の洗濯槽内の水位の変位速度を見る方式でも、洗濯槽を指示する機構部品に備わった重量計を利用する方式であっても良い。
【００４４】
制御手段２３は、洗濯動作時の洗濯槽内に給水する水位を決定する水位決定部２３ｂを備える。水位決定部２３ｂは、布量検知部２３ｄによる衣類の量によって水位を決定する。布量が多い場合には水位を高めにし、少ない場合には水位を低めにする。こうすること
で、洗濯機１に投入された衣類に応じ、不必要に水を利用することなく、必要な洗浄性能、すすぎ性能を得ることが出来る。さらに水位決定部２３ｂは、操作手段２５によって使用者により水位設定を指示されている場合には、その水位設定に従う。
【００４５】
応答内容決定部２３ｃは、情報端末１０から通信手段２２を経由して、洗濯機特定情報を問い合わせを受けた際に、その問い合わせに対する応答内容を決定する処理部である。洗濯機１の現在の洗濯機本体の状態など洗濯機１の情報を問い合わせる信号を受信した時に、その問合せ信号に対する応答内容を決定する処理部である。
【００４６】
制御手段２３は、さらに、洗濯の運転予約動作を実施するための制御を行う運転予約制御部２３ｅを備える。運転予約制御部２３ｅは、表示手段２６と操作手段２５とによって使用者が設定した運転終了までの時間と、運転予定の洗濯工程の所用時間とから、運転を開始するまで待機すべき時間を算出し、待機時間経過後に洗濯手段２１などを制御手段２３が制御開始するように制御する。
【００４７】
制御手段２３は、さらに、仮時刻運針制御部２３ｆを備える。仮時刻運針制御部２３ｆは、通信手段２２を介して情報端末１０と通信を行って取得した現在時刻を一時的に保存し、その後の時間の経過を反映させて現在時刻として更新し続ける。
【００４８】
記憶手段２４は、洗濯機特定情報記憶部２４ａ、洗剤量表示データ記憶手段２４ｂ、柔軟剤量表示データ記憶手段２４ｃ、すすぎ回数設定記憶手段２４ｄを備える。
【００４９】
洗濯機特定情報記憶部２４ａには、洗濯機１を特定するための洗濯機特定情報、例えば洗濯機１の型番号及びシリアルナンバー等を予め記憶する。それに加えて、洗濯機１の機能の有無を特定するための情報を記憶する。たとえば洗濯機１に時計運針手段２８が搭載され、現在時刻の表示を行えるか否かを示す情報を記憶する。なお、洗濯機特定情報は、製造時等に予め記憶される。
【００５０】
洗剤量表示データ記憶手段２４ｂには、情報端末１０で使用者が指定した洗剤に対して、洗濯機１での洗濯時に、水位決定部２３ｂで決定された水位にもとづいて投入すべき洗剤量を決定するための情報を記憶する。
【００５１】
柔軟剤量表示データ記憶手段２４ｃには、情報端末１０で使用者が指定した柔軟剤に対して、洗濯機１での洗濯時に、水位決定部２３ｂで決定された水位にもとづいて投入すべき柔軟剤量を決定するための情報を記憶する。
【００５２】
すすぎ回数設定記憶手段２４ｄには、洗濯機１が洗濯時にすすぎを何回実施するかを記憶する。工程管理部２３ａは、すすぎ回数設定記憶手段２４ｄに記憶された情報に基づき、図２に記載されたすすぎ運転において、すすぎを何回実施するかを決定し、洗濯手段２１を制御する。
【００５３】
操作手段２５は、例えば操作ボタンなどで構成され、使用者による入力操作を受け付ける。
【００５４】
表示手段２６は、例えば７セグＬＥＤで構成され、水位設定、洗い時間、すすぎ回数、脱水時間、洗剤量表示、柔軟剤量表示、残り時間及び予約時刻などをデジタル表示する。ここで、操作手段２５を操作ボタン、表示手段２６を７セグＬＥＤにも対応での表示としたが、これに限定されるものではない。
【００５５】
表示手段２６を液晶パネルで構成しても良いし、操作手段２５をタッチパネルで構成し
ても良い。
【００５６】
時計運針手段２８は、洗濯機１で現在の時刻表示や時刻を指定しての運転予約を行う為に、現在時刻を更新するものであり、たとえば、洗濯機１中のマイコンのタイマー機能を利用して、所定の単位の時間の経過を検知し、その経過時間を積算して現在時刻の更新を行うことで実現される。時計運針手段２８は給電されていない場合には時刻の更新を行うことが出来ない為、一次電池や二次電池などのバッテリを搭載し、少なくとも時計運針手段２８には給電を継続するように構成する。
【００５７】
このように更新し続けた現在時刻は、たとえば洗濯機１の運転予約を行う際に利用される。運転予約は、洗濯運転がある時刻に終わることを期待して利用される為、洗濯機１が現在時刻を更新し続けることができれば運転予約の際に所望の時刻を設定することが出来るのでより簡便に運転予約を実施する手段を使用者に提供することができる。
【００５８】
なお、前記のマイコンのタイマー機能による時間更新はマイコンのクロックの精度によって厳密には早くなったり遅くなったりする為、長時間動作させると、時計運針手段２８の時刻は正しくないものとなる可能性がある。洗濯機１の通信手段２２は、洗濯機１中のループアンテナ２７と、情報端末１０のループアンテナを使用者によって近づけるという操作が必要である。その為、洗濯機１は任意のタイミングでネットワーク２００などから現在時刻を取得することが出来ず、時計運針手段２８の現在時刻を常に正しい時刻にしておくことが困難である。
【００５９】
サーバ３００は、サーバ通信手段３０１、サーバ記憶手段３０２及びサーバ制御手段３０３を備える。
【００６０】
サーバ通信手段３０１は、ネットワーク２００を利用して情報端末１０と通信する。
【００６１】
サーバ記憶手段３０２は、情報端末１０に表示されるメニュー画面を洗濯機１の製品ごとに記憶する。さらにサーバ記憶手段３０２には、情報端末１０に表示される洗剤及び柔軟剤の種類と、その種類毎の基準の布量に対して投入すべき洗剤及び柔軟剤の量と、洗剤の種類毎に洗剤の特性によって推奨されるすすぎ回数の情報とを記憶する。
【００６２】
サーバ記憶手段３０２は、さらに、使用者毎の各種設定情報を記録した使用者情報データベースを記憶する使用者情報サーバ記憶手段３０２ａを備える。
【００６３】
サーバ記憶手段３０２は、さらに、洗濯機ごとのコースに関連する情報したコースの属性情報のデータベースを記憶するコース情報サーバ記憶手段３０２ｂを備える。コースは、洗濯機での洗い、すすぎ、脱水、乾燥の各工程による洗濯動作を大きく変更する選択肢を使用者に提供するための仕組みであり、コース毎にある洗濯物に特化した特徴を与えることとなる。本実施例では、コース情報サーバ記憶手段３０２ｂで記憶するデータベースには、特定のコースに対して、運転予約設定が可能な時間帯を特定するための情報が記憶される。データベース内容については後述する。
【００６４】
サーバ制御手段３０３は、ＣＰＵ等から構成され、サーバ通信手段３０１の動作を制御するとともに、サーバ通信手段３０１を介して受信した情報及びサーバ記憶手段３０２で記憶された情報を元に、情報端末１０にサーバ通信手段３０１を介して送信すべき情報を生成する。
【００６５】
サーバ制御手段３０３には、情報端末１０の報知手段１０３で表示する為の画面情報を生成する画面情報生成部３０３ａ、洗濯機１に各種設定を通知・設定するためのコマンド
を生成するコマンド生成部３０３ｂを備える。
【００６６】
次に本発明の実施の形態における電気機器の動作を説明する。図６〜１２および図２７から３０は、本発明の実施の形態における電気機器が含まれるシステムの動作を説明するためのフローチャートである。なお、電気機器は、洗濯機である。図６〜１１は、使用者によって、洗剤および、もしくは柔軟剤を選択・設定する動作および時刻情報を情報端末１０から洗濯機１に送信する動作を説明するためのものである。図１２は設定された洗剤および、もしくは柔軟剤の設定に対する洗濯機の動作を説明するためのものである。図２７〜図２９は運転予約を設定する動作および時刻情報を情報端末１０から洗濯機１に送信する動作を説明するためのものである。図３０は時刻情報を受け付けた後の洗濯機１の動作を説明するためのものである。
【００６７】
図６について説明する。
【００６８】
まず、ステップＳ６０１において、情報端末１０の制御手段１０５は、洗濯機１を制御するための画面を報知手段１０３に表示するためのアプリケーションを起動する。このとき、操作手段１０４は、使用者による当該アプリケーションの起動指示を受け付ける。制御手段１０５は、受け付けられた起動指示に基づいてアプリケーションを起動する。
【００６９】
次に、ステップＳ６０２において、表示制御部１０５ａは、使用者情報を使用者に入力させるための画面を表示する。使用者情報とは、使用者を特定するためのＩＤ番号と、パスワードからなる情報であり、本ステップ以前に使用者によって設定され、サーバ３００に記録されている情報である。情報端末１０の報知手段１０３によってＩＤ番号とパスワードを入力する画面を表示し、操作手段１０４を介して使用者がＩＤ番号とパスワードを入力する。
【００７０】
次に、ステップＳ６０３において、情報端末１０はサーバ３００に、入力されたＩＤ番号とパスワードを送信する。
【００７１】
サーバ３００はＳ６３１において、送信されたＩＤ番号とパスワードを受信し、次のＳ６３２において予めサーバ３００に記録されているＩＤ番号とパスワードと、Ｓ６３１で受信したものとを比較し一致するか否かによって、予め登録された使用者か否かを認証し、その結果をＳ６３３にて情報端末１０に送信する。
【００７２】
情報端末１０はＳ６０４にて使用者に対する認証結果を受信し、Ｓ６０５にて認証結果がＯＫで有った場合にはＳ６０６へ、認証がなされなかった場合にはＳ６０２へ戻り、使用者情報入力画面を再表示して再度正しいＩＤ番号とパスワードを使用者に入力させる。
【００７３】
次にＳ６０６で、第１通信手段１０１と洗濯機１とが通信するために第１通信手段１０１と洗濯機１とを近接させることを使用者に指示するための通信指示画面を表示するように報知手段１０３を制御する。報知手段１０３は、通信指示画面を表示する。なお、より具体的には、通信指示画面は、情報端末１０のループアンテナ１０６と、洗濯機１のループアンテナ２７とを近接させることを使用者に指示するための画面である。また、通信指示画面は、情報端末１０が備える記憶手段（不図示）に予め記憶されており、表示制御部１０５ａは、記憶手段から通信指示画面を読み出して表示する。
【００７４】
図１７は、本実施の形態における通信指示画面の一例を示す図である。
【００７５】
図１７に示す通信指示画面Ｇ１では、例えば"対応家電にタッチしてください"というメッセージが表示される。通信指示画面Ｇ１は、情報端末１０を洗濯機１に近接させるよう
に使用者を誘導する画面である。情報端末１０の報知手段１０３に通信指示画面Ｇ１が表示されると、使用者は、情報端末１０と洗濯機１とが近接無線通信により通信可能な距離になるように、情報端末１０のループアンテナ１０６と、洗濯機１のループアンテナ２７とを近接させる。
【００７６】
次に、ステップＳ６０７において、第１通信制御部１０５ｂは、報知手段１０３に通信指示画面が表示された後、洗濯機１を特定するための洗濯機特定情報を要求する要求情報を洗濯機１へ送信するように第１通信手段１０１を制御する。第１通信手段１０１は、報知手段１０３に通信指示画面が表示された後、要求情報を洗濯機１へ送信する。なお、第１通信手段１０１は、報知手段１０３に通信指示画面が表示されたことに連動して、洗濯機１へ要求情報の送信を開始する。
【００７７】
次に、ステップＳ６７１において、洗濯機１の通信手段２２は、第１通信手段１０１と洗濯機１とが通信可能な距離に近接された後、情報端末１０の第１通信手段１０１によって送信された要求情報を受信する。
【００７８】
次に、ステップＳ６７２において、洗濯機１の応答内容決定部２３ｃは、洗濯機特定情報記憶部２４ａから洗濯機特定情報を読み出す。
【００７９】
次に、ステップＳ６７３において、応答内容決定部２３ｃは、洗濯機特定情報を情報端末１０へ送信するよう通信手段２２を制御する。通信手段２２は、洗濯機特定情報を情報端末１０へ送信する。なお、要求情報には、情報端末１０を特定するためのアドレス情報が含まれており、通信手段２２は、要求情報に含まれるアドレス情報に基づいて洗濯機特定情報を情報端末１０へ送信する。
【００８０】
なお、応答内容決定部２３ｃは、洗濯機特定情報とともに洗濯機１の使用履歴及びエラー情報などの状態情報を情報端末１０へ送信してもよい。エラー情報は、例えば洗濯手段２１でモータやヒータなどの負荷の状態や、水位センサ、温度センサのセンシング情報を監視することによって検知される。
【００８１】
次に、ステップＳ６０８において、情報端末１０の第１通信手段１０１は、洗濯機１の通信手段２２によって送信された洗濯機特定情報を受信する。なお、本実施例では、洗濯機特定情報には当該洗濯機に時計運針手段２８が搭載され、現在時刻の表示を行えるか否かを示す情報が含まれていることとする。これにより、情報端末１０は、洗濯機１に時計運針手段２８が搭載されて機能しているか否かの情報を取得することができる。なお、時計運針手段２８が搭載されていたとしても、時計運針手段２８に給電するための電池の電池容量が切れた場合には、時計運針手段２８は正しい現在時刻を運針し続けることができなくなる。このように時計運針手段２８が正常に動作しないことを制御手段２３が検知した場合には、洗濯機特定情報記憶部２４ａに記録された洗濯機特定情報の中の、現在時刻の表示を行えるか否かの情報を書き換え、表示を行えないという設定とすればよい。
【００８２】
Ｓ６０８以降の処理については、図７を使って説明する。
【００８３】
ステップＳ７０１において、第２通信制御部１０５ｃは、第１通信手段１０１によって受信された洗濯機特定情報をサーバ３００へ送信するように第２通信手段１０２を制御する。第２通信手段１０２は、第１通信手段１０１によって受信された洗濯機特定情報をサーバ３００へ送信する。洗濯機１によって送信される洗濯機特定情報は、サーバ３００を特定するためのアドレス情報とともに送信され、第２通信手段１０２は、洗濯機特定情報とともに送信されるアドレス情報に基づいて洗濯機特定情報をサーバ３００へ送信する。
【００８４】
なお、本実施の形態では、洗濯機１によって送信される洗濯機特定情報とともにサーバ３００を特定するためのアドレス情報が送信されるが、本発明は特にこれに限定されず、情報端末１０がサーバ３００を特定するためのアドレス情報を記憶していてもよい。
【００８５】
次に、ステップＳ７１１において、サーバ３００のサーバ通信手段３０１は、情報端末１０の第２通信手段１０２によって送信された洗濯機特定情報を受信する。
【００８６】
次に、ステップＳ７１２において、サーバ制御手段３０３は、洗濯機特定情報によって特定される洗濯機１に応じたメニュー画面情報を作成する。ここで、サーバ制御手段３０３は、洗濯機特定情報によって特定される洗濯機１に応じたメニュー画面をサーバ記憶手段３０２から読み出す。
【００８７】
次に、ステップＳ７１３において、サーバ通信手段３０１は、洗濯機１に固有のメニュー画面を表示させるためのメニュー画面情報を情報端末１０へ送信する。
【００８８】
次に、ステップＳ７０２において、情報端末１０の第２通信手段１０２は、サーバ３００のサーバ通信手段３０１によって送信されたメニュー画面情報を受信する。
【００８９】
次に、ステップＳ７０３において、表示制御部１０５ａは、第２通信手段１０２によって受信されたメニュー画面情報に基づいて表示画面をメニュー画面に切り替える。報知手段１０３は、第２通信手段１０２によって受信されたメニュー画面情報に基づいてメニュー画面を表示する。
【００９０】
上記において、電気機器のメニュー画面の表示に関して、情報端末１０から電気機器に対して要求情報を送信し、その要求に電気機器から応答を送信仕返すことで電気機器を特定する方法を説明したが、この方法に限定されるものではない。例えば、情報端末１０は、図６のＳ６０５で使用者の認証が終了した後に、サーバ３００に対して利用可能な電気機器ごとに固有のメニュー画面のリスト情報を取得して、そのリストを報知手段１０３に表示し、操作手段１０４を介して使用している洗濯機を使用者が選択することによって、どのリストが選択されたか情報端末１０からサーバ３００へ送信し、これによって、情報端末１０の第２通信手段１０２は、サーバ３００のサーバ通信手段３０１によって送信されたメニュー画面情報を受信し（ステップＳ７０２）、表示制御部１０５ａは、第２通信手段１０２によって受信されたメニュー画面情報に基づいて表示画面をメニュー画面に切り替える（ステップＳ７０３）のようにしてもよい。こうすれば、メニュー画面を表示するために、情報端末１０と洗濯機１とを通信させることなくメニュー画面を表示することができる。
【００９１】
メニュー画面が表示されている間、操作手段１０４は、メニュー画面に表示されている項目の使用者による選択を受け付け、選択された項目に応じた画面の表示、及び選択された項目に応じた洗濯機１の制御が行われる。
【００９２】
図１８は、本実施の形態におけるメニュー画面の一例を示す図である。
【００９３】
図１８に示すメニュー画面Ｇ２では、洗濯機１の製品名及び製品番号を表す製品名５０１、洗濯機１の省エネルギー状態に関する情報を表示するためのエコ情報表示ボタン５０２、洗濯機１のサポート情報を表示するためのサポート情報表示ボタン５０３、洗濯運転の予約設定を行うための運転予約ボタン５０４、及び洗濯機の洗剤及び柔軟剤情報を設定するための設定表示ボタン５０５が表示される。
【００９４】
エコ情報表示ボタン５０２、サポート情報表示ボタン５０３、運転予約ボタン５０４及
び設定表示ボタン５０５は、操作手段１０４を介して選択可能である。エコ情報表示ボタン５０２が選択されると、洗濯機１の消費電力などの省エネルギーに関する情報を表す画面が表示され、サポート情報表示ボタン５０３が選択されると、洗濯機１をサポートするための情報を表す画面が表示される。
【００９５】
なお、メニュー画面Ｇ２に表示される項目は、図１８に示す項目に限定されず、種々の項目を表示することが可能である。
【００９６】
図７のフローチャートの説明を再開する。Ｓ７０４にて、図１８のメニュー画面Ｇ２において設定表示ボタン５０５が受付けられた場合、次のＳ７０５にて情報端末１０には設定説明画面を表示する。設定説明画面は特に図示しないが、使用者に対して、洗剤及び柔軟剤を設定する方法について説明文を記載した説明画面であり、説明内容確認後に、使用者により次ステップへの移行を受付けるためのボタンを有している。
【００９７】
Ｓ７０４にて設定指示受付けが実施されず、Ｓ７０９にて運転予約指示が受付けられた場合には、ステップ（８）へ進み、運転予約の設定を実施する。これは図１８のメニュー画面Ｇ２において運転予約ボタン５０４が選択された場合に対応する。ステップ（８）以降については後述する。
【００９８】
Ｓ７０５の後、上記次ステップへの移行を使用者からの指示として受付けると（Ｓ７０６）、Ｓ７０７にてサーバ３００に設定画面情報の要求を送信する。
【００９９】
サーバ３００では、Ｓ７７１にて情報端末１０からの設定画面情報要求を受信した後、Ｓ７７２にて使用者毎にサーバ記憶手段３０２に記憶している洗剤及び柔軟剤に関する設定内容を読み出し、情報端末１０に表示すべき設定画面情報を作成し、Ｓ７７３にて情報端末に送信する。
【０１００】
図５は、使用者毎に使用者情報サーバ記憶手段３０２ａに記憶している使用者情報データベースの例である。使用者毎に１行で表されており、使用者を特定するための使用者特定情報、洗濯機を特定するための洗濯機特定情報、設定されている洗剤、柔軟剤及びすすぎ回数の設定、さらに前回に設定した運転終了予約時刻がそれぞれ記憶されている。例えば使用者Ａに対しては、洗濯機特定情報がＮＡ−ＶＸ４２００Ｌ−Ｗ−０００００００１の洗濯機が登録されており、運転終了予約設定を行ったことがあってその時刻が朝の７時であり、洗剤は洗剤Ａを、柔軟剤は柔軟剤Ａを、すすぎ回数は２回が設定値として記憶されていることとなる。使用者の特定は、図６のフローチャートのＳ６０２で使用者が入力した使用者を特定する為のＩＤ番号によってなされる。
【０１０１】
情報端末１０は、Ｓ７０８にてサーバ３００から送信された設定画面情報にもとづき、設定画面を表示する。
【０１０２】
図１９は、本実施の形態における設定画面の一例を示す図である。
【０１０３】
図１９に示す画面Ｇ４には、使用者が過去に設定した洗剤の銘柄を表示し、かつ選択されると洗剤の銘柄を選択する画面を呼び出すボタン７０１と、同様に柔軟剤の銘柄を表示し、選択されると柔軟剤の銘柄を選択する画面を呼び出すボタン７０３と、洗濯運転時にすすぎを何回実施するかの設定を表示する表示７０２と、それらの洗剤および柔軟剤に関連する情報を洗濯機１に設定するための処理を実行するためのボタン７０４とを備えている。
【０１０４】
図８は画面Ｇ４での処理のフローチャートである。
【０１０５】
Ｓ８０１で洗濯機１に洗剤および柔軟剤に関連する情報を洗濯機１に設定するためのボタン７０４が選択されると、図９のフローチャートで説明する処理へと移行する。次にＳ８０２で洗剤の銘柄を選択するためにボタン７０１が選択されると、図１０のフローチャートで説明する処理へと移行する。次にＳ８０３で柔軟剤の銘柄を選択するためのボタン７０３が選択されると、柔軟剤の銘柄を選択するための処理へと移行するが、洗剤の銘柄を選択する際の処理とほぼ同様なので、本実施例ではフローチャートでは説明しない。
【０１０６】
図１０を使って、洗剤の銘柄を設定する一連の処理について説明する。
【０１０７】
情報端末１０は、Ｓ１００１において、洗剤設定画面を表示するための要求を送信する。
【０１０８】
サーバ３００は、Ｓ１０１１で洗剤設定画面の要求を情報端末１０から受信すると、Ｓ１０１２で洗剤設定画面情報を生成する。洗剤設定画面情報は、サーバ記憶手段３０２に記録された洗剤銘柄のデータベースと、使用者毎に記録された選択中の洗剤銘柄設定のデータベースの情報から生成される。
【０１０９】
図４は、本実施例における洗剤銘柄のデータベースの一例である。各洗剤設定毎に洗剤名称と、基準水量に対して洗剤を投入すべき投入量の係数、及び当該洗剤銘柄に対して推奨されているすすぎ回数とが記録されている。このデータベースがサーバ３００に記録されているため、洗剤が新規に発売された場合であっても、サーバ３００のデータベースを修正することで、洗濯機システム全体として簡便に対応することができる。
【０１１０】
洗濯動作の際に投入すべき洗剤の量について説明する。洗濯時に投入すべき洗剤量は、多すぎると泡が大量に発生して洗濯機からあふれでるおそれがある。また、排水時に排水溝からあふれでるおそれもある。また、泡が大量に発生した状態で脱水を行うと、脱水時にかかるモータの負荷が増大するという課題もある。逆に洗剤量が少なすぎると、適切な洗浄性能を得ることができないという課題がある。
【０１１１】
上記のような課題を回避するために洗剤は適切な量を投入する必要があるが、適切な量は洗剤を投入する際の洗濯機内の水量によって異なる。ドラム式の洗濯機の場合は使用する水量が少ないので特に洗剤を多く投入すると過大な泡の発生が起こりうる。多くの洗剤のパッケージには適切な投入量を示す表示が記載されているが、それはある基準の水量を仮定し、その水量に対して適切な量を重量で表示している。ただし重量で表示しても毎回の洗濯時に重量を計測するのは簡便とは言えないため、洗剤にスプーンなどの計量器を同梱し、当該計量器での杯数も併せて表示するのが一般的である。ここで異なる種類の洗剤について、同梱される計量器の大きさは当然異なるので、基準の水量が同じであっても、杯数の表示は洗剤によって異なる事となる。
【０１１２】
図４の基準水量に対する洗剤投入量係数とは、この杯数の表示を洗濯機で洗剤毎に適切に行うための係数であり、基準の水量に対して、洗剤に同梱した計量器にて何杯の投入が適切かを示す。図４の例で言えば、洗剤Ａに対する基準水量に対する洗剤投入量係数は１００となっており、これは基準の水量に対して、洗剤に同梱した計量器にて１００／１００＝１杯の投入が適切であることを示しており、洗剤Ｃの係数が８０であることから、８０／１００＝０．８杯の投入が適切であることを示している。
【０１１３】
なお、図４は洗剤に対するデータベースの例であり、本実施例では柔軟剤に対しても同様のデータベースを持つこととする。図示せず。なお、推奨すすぎ回数の情報は柔軟剤のデータベースには不要である。
【０１１４】
サーバ３００はＳ１０１３でＳ１０１２で生成した洗剤設定画面情報を情報端末１０に送信する。
【０１１５】
情報端末はＳ１００２で洗剤設定画面情報を受信した後、Ｓ１００３にて表示する。
【０１１６】
図２０は本実施例における洗剤設定画面の一例である。画面Ｇ５上には、サーバ３００に記憶された各洗剤銘柄の洗剤名称と、当該洗剤を選択するためのボタンが表示される。洗剤Ａを選択する際には、ボタン８０１、洗剤Ｂを選択する際にはボタン８０２を情報端末１０の操作手段を使って選択することとなる。本例の画面Ｇ５では、洗剤選択用のボタンの中でボタン８０１だけが塗りつぶされており、これにより使用者が現在選択している洗剤が洗剤Ａであることを示している。
【０１１７】
図１０のフローチャートでステップＳ１００４にて使用者が他のボタンを選択した場合には、ステップＳ１００５に移行し、洗剤選択表示を変更する。例えば、使用者が画面Ｇ５にてボタン８０２を選択すると、ボタン８０１は他の洗剤と同様の表示となり、変わってボタン８０２が塗りつぶされた表示となる。
【０１１８】
なお、使用者が使用する洗剤が画面Ｇ５に無かった場合には、ボタン８０３を選択する。ボタン８０４はサーバ３００に記憶された使用者の洗剤に関する情報を初期設定に戻す場合に選択する。
【０１１９】
図２０中の画面Ｇ５にてボタン８０５を選択すると、画面Ｇ５での洗剤設定操作が終了し、洗剤が決定されたことを意味する。図１０のフローチャートのＳ１００６での洗剤決定操作が有る場合として、次のＳ１００７へ移行することと同じである。なお、Ｓ１００６にて特に洗剤決定操作が実施されなかった場合には、Ｓ１００４へ戻り、洗剤設定画面の表示と、使用者による操作を受付ける処理を継続することとなる。
【０１２０】
情報端末１０はＳ１００７で選択された洗剤を特定する情報をサーバ３００に送信し、サーバ３００はＳ１０７１にてそれを受信し、Ｓ１０７２にてその洗剤情報をサーバ記憶手段３０２中の使用者毎の洗剤・柔軟剤関連設定データベースに記憶し、Ｓ１０７３にて選択された洗剤に関連して情報端末１０で表示すべき情報を送信する。情報端末１０はＳ１００８にてその情報を受信し、Ｓ１００９にてその情報を表示する。
【０１２１】
図２１は、図１０のフローチャートのＳ１００９にて表示される選択洗剤関連画面の一例である。図２１の画面Ｇ６には、洗剤メーカが推奨しているすすぎ回数が１回となっていることを表示する表示９０１と、使用者にすすぎ回数を推奨の１回にするか否かを問いかける表示９０２とが有り、使用者に選択すべきボタンとしてすすぎ１回設定用のボタン９０４と２回設定用のボタン９０３とを備えている。
【０１２２】
図１１は使用者が選択した洗剤がすすぎ１回推奨だった場合の処理フローチャートである。
【０１２３】
すすぎ１回推奨洗剤は、泡切れが良い洗剤であり、通常の洗濯運転では２回のすすぎ工程が必要な洗剤が主流であるのに対し、すすぎを１回だけ実施すれば洗い時の洗浄液をすすぐことが可能とされているものである。洗濯機１は２回のすすぎ工程が必要な多くの洗剤に合わせてすすぎ工程を２回繰り返すことを基本動作としている。図２の洗濯工程の図の例で言えば、すすぎ運転のところで、すすぎ回数分繰り返しとなっているところを、２回実施することとなる。これに対し、すすぎ１回推奨洗剤では、すすぎ回数繰り返しのところを１回の実施とすることが推奨されることとなる。
【０１２４】
そこで、すすぎ１回推奨洗剤を使用者が選択した場合、使用者に推奨すすぎ回数を表示し、すすぎを何回実施するかを選択するための画面をＳ１００９にて洗剤に関連して情報端末１０で表示すべき情報として表示するわけである。
【０１２５】
図２１の画面Ｇ６表示の後、Ｓ１１０１にて、使用者によるすすぎ回数選択がされるまで待機し続ける。
【０１２６】
情報端末１０で使用者によりすすぎ回数が選択されると、Ｓ１１０２にて選択されたすすぎ回数情報をサーバ３００に送信する。
【０１２７】
サーバ３００はＳ１１２１にてすすぎ回数の選択情報を受信した後、Ｓ１１２２にてサーバ記憶手段３０２中の使用者毎の洗剤・柔軟剤関連設定データベースの中で、すすぎ回数の情報を更新して記憶し、すすぎ回数情報の受信が完了したことを通知するための送信をＳ１１２３で実施する。情報端末１０では、Ｓ１１０３にてサーバ３００からのすすぎ回数情報の受信完了通知を受信した後、図７のフローチャートのＳ７０７の処理へと移行する。
【０１２８】
次に、図８のフローチャートにおいて、Ｓ８０３にて柔軟剤の設定変更を受付けた場合の処理を説明する。基本的な処理のフローは図１０で説明した洗剤の設定フローと同様なので省略する。図２２は、本実施例において、柔軟剤の設定変更を受付けた後に、情報端末１０上に表示される柔軟剤を選択して、設定を変更するための画面の一例である。
【０１２９】
画面Ｇ７には、洗剤に対する図２０の画面Ｇ５と同様に、サーバ３００に記憶された各柔軟剤銘柄の柔軟剤名称と、当該柔軟剤を選択するためのボタンが表示される。柔軟剤Ａを選択する際には、ボタン１００１、柔軟剤Ｂを選択する際にはボタン１００２を情報端末１０の操作手段を使って選択することとなる。本例の画面Ｇ７では、柔軟剤選択用のボタンの中でボタン１００１だけが塗りつぶされており、これにより使用者が現在選択している柔軟剤が柔軟剤Ａであることを示している。使用者が他のボタンを選択した場合には、柔軟剤選択表示を変更する。例えば、使用者が画面Ｇ７にてボタン１００２を選択すると、ボタン１００１は他の柔軟剤と同様の表示となり、変わってボタン１００２が塗りつぶされた表示となる。
【０１３０】
なお、使用者が使用する柔軟剤が画面Ｇ７に無かった場合には、ボタン１００３を選択する。ボタン１００４はサーバ３００に記憶された使用者の柔軟剤に関する情報を初期設定に戻す場合に選択する。
【０１３１】
図２２中の画面Ｇ７にてボタン１００５を選択すると、画面Ｇ７での柔軟剤設定操作が終了し、洗剤が決定されたことを意味する。
【０１３２】
次に、図９を使って、使用者によって設定された洗剤及び柔軟剤設定、洗剤に関連して決定したすすぎ回数の設定を、洗濯機１に設定する処理を説明する。同時に、情報端末１０の時計運針手段１０７で運針している現在時刻を、洗濯機１の時計運針手段２８に設定する処理もあわせて実施するのでこれについてもあわせて説明する。この処理は、図８のステップＳ８０１で洗濯機１への洗剤及び柔軟剤関連の設定を転送することを受付けた場合に実施される。言い換えれば、図１９の画面Ｇ４にてボタン７０４を選択した場合の処理である。
【０１３３】
まず、情報端末１０は、洗濯機１に設定を実施するために送信すべき設定コマンドを生成することをサーバ３００に要求するために送信をＳ９０１にて行う。
【０１３４】
サーバ３００はＳ９２１にて設定コマンドを生成する要求を受信すると、Ｓ９２２にて設定コマンドを生成する。設定コマンドには、使用者が選択した洗剤銘柄に対する投入量の係数、洗剤を選択した際に追加で選択したすすぎ回数設定、使用者が選択した柔軟剤銘柄に対する投入量の係数を表すパラメータが含まれる。次にＳ９２３にてＳ９２２にて生成した設定コマンドを情報端末１０に送信する。
【０１３５】
情報端末１０はＳ９０２にて設定コマンドを受信した後、Ｓ９０３にて使用者に洗濯機１と情報端末１０を近づけて通信が可能となるように指示する画面を表示する。
【０１３６】
次にＳ９０４にて洗濯機１との間の通信確立の処理を実行する。通信確立の処理は以下のようにして行われる。情報端末１０制御手段１０５は、第１通信手段１０１に対して、通信確立の処理の実行を指示する。第１通信手段１０１は、近接無線通信で応答することが可能な通信相手が近接しているかを確認するため、ループアンテナ１０６を介してポーリングコマンドを無線にて送信する。このポーリングコマンドに応答するレスポンスコマンドが洗濯機１から無線発信されてきた場合は、通信確立が実現されたとし、次のＳ９０７の処理へ進む。ポーリングコマンドに対するレスポンスコマンドの応答が無かった場合には、ステップＳ９０５へ進む。
【０１３７】
Ｓ９０５では、通信指示画面を表示してからの経過した時間と、所定のタイムアウト判定用の時間とを比較し、所定の時間を経過した場合には、Ｓ９０６へ進んで使用者に通信が行えなかったことを報知する。図３４は上記Ｓ９０６で情報端末１０で表示される画面の一例であり、表示３４０１にて洗濯機１との通信が出来なかったことを報知している。もしもタイムアウト判定用の時間が経過していない場合には、Ｓ９０３からの、使用者に機器を近づけることを指示しつつ、通信確立を再度実行する一連の処理を再度行う。
【０１３８】
ステップＳ９０４で通信確立が出来た場合は、情報端末１０はＳ９０７で洗濯機１への時刻情報の送信を行うかどうかの判定を行う。この判定には、図６のＳ６０８にて取得した洗濯機特定情報の中の洗濯機１に時計運針手段２８が搭載されているか否かの情報を利用する。すなわち、洗濯機１に時計運針手段２８が搭載されている場合には、時刻情報を送信することとしてステップＳ９０８へ進む。洗濯機１に時計運針手段２８が搭載されていない場合には、ステップＳ９１０へ進む。
【０１３９】
Ｓ９０７にて時刻情報を送信することとなった場合、次にＳ９０８へすすみ、情報端末１０は、時計運針手段１０７で運針している現在時刻を、第１通信手段を介し近接無線通信にて洗濯機１へ送信する。
【０１４０】
洗濯機１はＳ９４１にて、Ｓ９０８で情報端末１０から送信された現在時刻を受信する。次にＳ９４２にて、受信した現在時刻を、仮に仮時刻運針制御部２３ｆにて運針開始する。仮時刻運針制御部２３ｆでの時刻運針の処理は、時計運針手段２８での処理同等であり、洗濯機１中のマイコンのタイマー機能を利用して、所定の単位の時間の経過を検知し、その経過時間を積算して現在時刻の更新を行うことで実現される。ただし、仮時刻運針制御部２３ｆでの現在時刻の運針は、後述するステップＳ９４６までの間の一時的な処理であり、電池などのバッテリによる給電は必要ない。この仮時刻運針制御部２３ｆでの現在時刻の運針により、情報端末１０から受信した時刻が続く処理の間に現在時刻とずれてしまうことを防ぐことができる。
【０１４１】
次に、洗濯機１はＳ９４３にて時刻情報を受信したことを情報端末１０に通知するために、受信完了通知を送信する。情報端末１０は、Ｓ９０９にて受信完了通知を受信すると、ただちに次のＳ９１０へ進む。
【０１４２】
ステップＳ９１０では、情報端末１０は、Ｓ９０２にて受信した、洗剤・柔軟剤情報を設定するための設定コマンドを洗濯機１に送信する。
【０１４３】
洗濯機１はＳ９４４にて設定コマンドを受信すると、Ｓ９４５にてコマンドに含まれている情報を記憶手段２４にて記憶する。使用者が選択した洗剤銘柄に対する投入量の係数は洗剤量表示データ記憶手段２４ｂに、洗剤を選択した際に追加で選択したすすぎ回数設定はすすぎ回数設定記憶手段２４ｄに、使用者が選択した柔軟剤銘柄に対する投入量の係数は柔軟剤量表示データ記憶手段２４ｃに記憶する。
【０１４４】
次にＳ９４６にて記述済みのＳ９４２での仮受付した時刻情報の受付処理を実施する。Ｓ９４６の詳細動作は、図３０のフローチャートを用いて説明する。
【０１４５】
図３０のフローチャートは、洗濯機１での時刻情報受付処理を説明するものである。
【０１４６】
受付処理が開始されると、洗濯機１の制御手段２３は、ステップＳ３００１にて時刻情報の受付を行って良いかどうかを判定する。情報端末１０の時計運針手段１０７はネットワーク２００からの現在時刻と時計合わせを常に実施していることが期待出来るため、洗濯機１の時計運針手段と情報端末１０の時計運針手段１０７との時刻が一致しない場合、情報端末１０の時刻運針手段１０７の現在時刻の方がより正しい時刻であることが期待値となる。しかし、洗濯機１として洗濯機１の時計運針手段で運針している現在時刻を上書きすべきでない場合があるので、それについて具体的な例を以下で説明する。
【０１４７】
まず、洗濯機１の表示手段２６でまさに運転終了予定時刻を設定するためのインタフェースを提供している場合がある。図３２は上記の場合の、表示手段２６で表示される画面の一例を示したものである。表示３２０８に時刻運針手段１０７で運針している現在時刻を表示している。
【０１４８】
さらに、表示３２０７で、運転終了予定時刻として、使用者が設定可能な時間帯を報知している。設定可能な時間帯は、運転予約を実施しようとしている洗濯運転にどれだけの時間がかかるかによって、もっとも早い設定可能な終了時間が決まる。もっとも遅い設定可能な終了時間については、たとえば２４時間以内というように固定としても良いし、運転開始までに長時間待機し続けては問題となる洗濯運転の場合には運転開始までの時間を制限するためにより短い時間を設定しても良い。どちらにせよ、洗濯機１の運転内容もしくは洗濯機１の操作表示の特徴から、現在時刻から所定の時間後の時刻として決まることとなる。そのため、表示３２０７は、表示３２０８で示されている時計運針手段２８で運針している現在時刻を前提として設定されることとなる。
【０１４９】
運転終了予定時刻設定としては、表示３２０２で運転終了予定時刻の時間の単位を表示し、ボタン３２０１で時間の単位を増加させ、ボタン３２０３で時間の単位を減少させる。同様に運転終了予定時刻の分の単位は、表示３２０５で運転終了予定時刻の分の単位を表示し、ボタン３２０４で分の単位を増加させ、ボタン３２０６で分の単位を減少させる。なお、分の単位の変化させる単位を１分単位などとあまりに細かく変化させると、所望の時間に設定するためのボタン操作が煩雑になるのと、洗濯運転の時間は給水や排水にかかる時間が洗濯機のおかれた環境などによって変化することからあまりに細かい設定としても無意味である。そのため、一度のボタン操作毎に１０分の時間変化程度が適切である。
【０１５０】
表示３２０２と表示３２０５で示される運転終了予定時刻は、表示３２０７で報知されている時間帯の範囲でのみ設定可能であり、結果として、表示３２０８で示されている時
計運針手段２８で運針している現在時刻を前提として設定されることとなる。
【０１５１】
この図３２で示される運転終了予定時刻を設定するためのインタフェースを洗濯機１で表示している場合に、図３０のフローチャートのステップＳ３００１に到達することを考える。表示３２０８で表示されている、洗濯機１で直前まで運針していた現在時刻が、情報端末１０で運針していた現在時刻に書き換わると、表示３２０７、表示３２０２及び表示３２０５と書き換わった現在時刻の表示と矛盾を起こす。図３２のインタフェースを使用者が操作中の場合、すなわち洗濯機１が運転終了予定時刻設定の画面を表示している際には、洗濯機１の時計運針手段で運針している現在時刻を上書きすべきでない。このような場合には、制御手段２３はステップＳ３００１にて、時刻情報受付を行わないものと判断し、図３０のフローチャートの時刻情報受付処理を終了する。これにより、仮時刻運針制御部２３ｆで一時的に運針していた情報端末１０の現在時刻は破棄され、洗濯機１の現在時刻としては採用されない。
【０１５２】
同様に情報端末１０の現在時刻を破棄する、別の場合について図３３を用いて説明する。
【０１５３】
図３３は、洗濯機１の表示手段２６でコース運転設定を使用者に報知している画面の一例を示したものである。表示３３０１でコース名称を、表示３３０２で運転終了予定時刻として設定された時刻を表示している。表示３３０３では、当該画面の設定で洗濯機１の運転を開始するための操作方法を報知している。表示３３０４は、洗濯機１で運針している現在時刻を表示している。表示３３０２で表示されている運転終了予定時刻は、図３２のようなインタフェース等によって、洗濯機１の現在時刻を前提として設定されていることとなる。このように洗濯機１に対して運転終了予定時刻が設定済みの場合については、先の例と同様に図３０のステップＳ３００１にて時刻情報を上書きすべきでない。
【０１５４】
ステップＳ３００１で時刻情報を受け付けるべきではない場合として、二つの例をあげたが、これに限定されるものではない。洗濯機１の時計運針手段２８で運針している現在時刻を前提とした状態に洗濯機１がある場合には、同様に情報端末１０の時刻情報を受け付けるべきではない。たとえば、まさに洗濯機１の現在時刻自体を変更する画面を表示している場合や、すでに洗濯運転を開始しており使用者が終了時刻を洗濯機の現在時刻から類推済みの場合などでも時刻情報を受け付けないこととしても良い。
【０１５５】
図３０のフローチャートでＳ３００１にて、情報端末１０からの時刻情報を受け付けることと判定した場合、ステップＳ３００２に進む。ここで、図９のフローチャートのＳ９４２で時刻情報仮受付処理を行い、仮時刻運針制御部２３ｆで情報端末１０からの現在時刻を受信している場合には、次のＳ３００３へ進む。もしも受信していなかった場合には、反映すべき現在時刻を受信しておらない為、何も処理を行わず時刻情報受付処理を終了する。すでに説明したとおり、図９のフローチャートＳ９４２は、同図のＳ９０７の判定によって条件分岐しており、Ｓ９０７の条件は図６のＳ６７３で洗濯機から送信した洗濯機特定情報の中の時計運針手段２８が搭載されて機能しているか否かの情報による。
【０１５６】
次にＳ３００３に進むと、洗濯機１の制御手段２３は、仮時刻運針制御部２３ｆで運針している現在時刻を、時計運針手段２８の現在時刻に対して上書きして書き換える。これ以降、時計運針手段２８ではこの書き換えられた現在時刻をもとに時計の運針を続ける。
【０１５７】
図９のフローチャートの説明に戻る。洗濯機１は、Ｓ９４６の次に、Ｓ９４７にて設定コマンドの受信が完了したことを通知するための送信を情報端末１０に対して実施する。
【０１５８】
情報端末１０はＳ９１１にて洗濯機１からコマンド受信完了通知を受信した後、使用者
に対して設定が完了したことを通知する画面を表示（ステップＳ９１２）する。これにより、使用者による洗剤および柔軟剤に関連する情報を洗濯機１に設定する処理及び現在時刻を反映する処理が終了する。
【０１５９】
ここまで図９で説明してきたとおり、ステップＳ９０３で使用者に情報端末１０と洗濯機１を近づけるように報知した後、使用者がその報知に従って情報端末を近づけることでステップＳ９０４で通信確立が成立する。通信確立が成立した後、使用者の意図する洗剤および柔軟剤に関連する情報を洗濯機に送信すると共に情報端末１０の運針している現在時刻も同時に送信することが出来るので、現在時刻の設定の為に特殊な操作を使用者が行うことなく簡便に洗濯機１に対して現在時刻の設定を行うことが出来る。
【０１６０】
また、ステップＳ９４６にて、洗濯機１の表示や設定状態によって、情報端末１０から送信された現在時刻を洗濯機１に反映させるか否かを判定することにより、それ以前の洗濯機１の現在時刻と異なる時刻になった場合に、使用者の意図しない動作・表示を洗濯機１が行うことを防ぐことが出来る。
【０１６１】
なお、サーバ記憶手段３０２中の使用者毎の洗剤・柔軟剤関連設定データベースに記憶するのを、使用者によって洗剤もしく柔軟剤を選択した直後及びもしくはすすぎ回数を選択した直後の情報端末１０からサーバ３００への通信の直後としているが、これに限定されるものではない。例えば、使用者が設定した洗剤、柔軟剤の選択を終えて、洗濯機１への設定を行うことを選択した後の情報端末１０からサーバ３００への通信後でも良い。もしくは、洗濯機１への設定が完了した通知を情報端末１０からサーバ３００へ送信するフローを追加し、洗濯機１への設定が完了したことをサーバ３００が通知を受けた後で、サーバ記憶手段３０２中の使用者毎の洗剤・柔軟剤関連設定データベースに記憶するのでも良い。使用者が洗濯機１へ設定を行ったことにより洗剤および柔軟剤の設定が更新されるので、洗濯機１とサーバ３００の使用者毎の洗剤及び柔軟剤の設定が一致した状態とすることができる。
【０１６２】
なお、洗濯機１の洗剤量表示データ記憶手段２４ｂ及び柔軟剤量表示データ記憶手段２４ｃ、すすぎ回数設定記憶手段２４ｄの情報の更新は、情報端末１０から洗濯機１への通信を行った後に実施するとしたが、洗濯機１の操作手段２５と表示手段２６を使って使用者によって変更することが可能としても良い。これにより、情報端末１０が利用不可能な場合でも、洗剤及び柔軟剤のデータを、洗剤も柔軟剤も未選択で、すすぎ回数を２回というように出荷初期状態へ戻すことが出来る。
【０１６３】
なお、Ｓ９０７にて洗濯機特定情報の中の洗濯機１に時計運針手段２８が搭載されているか否かの情報を使って情報端末１０が現在時刻を洗濯機１に送信するか否かを判定することとしたが、これに限定されるものではない。洗濯機特定情報はサーバ３００に送信されている為、判定をサーバ３００で実施し、この判定結果を情報端末１０が受信し、洗濯機１に時刻情報を送るか否かの決定に利用するようにしても良い。こうすることで情報端末１０での処理を簡略化することができる。
【０１６４】
また、洗濯機特定情報の中の洗濯機１に時計運針手段２８が搭載されているか否かの情報と、洗濯機１の状態を元に、洗濯機１の現在時刻を、情報端末１０の現在時刻で上書きするか否かを決定することとしたが、これに限定されるものではない。たとえば、使用者によって洗濯機１もしくは情報端末１０上の操作・表示手段を利用し、洗濯機１の時刻情報を上書きするか否かを選択することができるインタフェースを提供しても良い。こうすることで、使用者が情報端末１０の現在時刻と洗濯機１の現在時刻を意図してずらすことが可能となる。
【０１６５】
なお、洗濯機特定情報を図６のＳ６７３にてのみ送信することとしたが、これに限定されるものではない。たとえば、図９のＳ９０４の通信確立の直後にも送信することとしても良い。こうすることで、情報端末１０はＳ６０８で受信した洗濯機特定情報を元とした判定ではなく、毎回通信時に得られた洗濯機特定情報を元に判定すればよいので処理が簡略化できる。
【０１６６】
なお、通信確立の後、まず時刻情報を送信し、その後に設定コマンドを送信することとしたが、これに限定されるものではない。順番が逆であっても良い。
【０１６７】
次に図１２を使って、洗濯機１に設定された洗剤および柔軟剤に関連する情報を洗濯動作時に利用する処理を説明する。
【０１６８】
使用者により洗濯機１の電源が投入されて処理が開始される。
【０１６９】
まずＳ１２０１で、洗濯機１での洗濯動作について使用者が表示手段２６と操作手段２５を使用して設定を行うための処理が行われる。洗濯動作に関する設定の具体的な例としては、洗濯動作を大きく変更するコースの指定、設定されたコースでの洗いを行う時間の指定、すすぎ回数の指定、脱水時間の指定、乾燥工程の有無や時間の指定、洗濯時に利用する水量を決定するための水位の指定などがある。
【０１７０】
Ｓ１２０２で使用者により運転開始を操作手段２５により指示された場合は、次のＳ１２０３にて布量を判定するための工程を実施する。布量の判定動作は、制御手段２３の布量検知部２３ｄにより洗濯手段２１を制御することで実施される。
【０１７１】
Ｓ１２０３の布量判定工程の実施が終了すると、次にＳ１２０４にて水位の指定がされているか否かによって処理を分岐する。水位指定が使用者により運転開始受付け前のステップＳ１２０１にて実施されていた場合は、Ｓ１２０５へすすみ、指定された水位を洗濯運転中の水位設定とする。水位指定がされていなかった場合には、ステップＳ１２０６へすすみ、Ｓ１２０３で判定した洗濯機１に投入された布量によって、水位を決定する。布量が少なかった場合には水位を低くし、多かった場合には水位を高めることで、必要な洗浄及びすすぎ性能を確保しつつ、使用する水量を最小限に抑制するように水位を決定する。
【０１７２】
次にステップＳ１２０７にて、洗剤量表示データ記憶手段２４ｂに、使用者によって指定された洗剤に対する洗剤量情報が記憶されているかによって処理を分岐する。情報が記憶されている場合も、されていない場合にも、さらに、柔軟剤量表示データ記憶手段２４ｃに使用者によって指定された柔軟剤に対する柔軟剤量情報が記憶されているかによって処理を分岐する（Ｓ１２０８及びＳ１２０９）。結果として、洗剤量情報と柔軟剤量情報ともに記憶されていた場合には、ステップＳ１２１１にて洗剤および柔軟剤の投入量表示Ａを表示する。洗剤量情報はあって柔軟材料情報は無い場合はＳ１２１０にて投入量表示Ｂを表示し、洗剤量情報は無くて柔軟剤量情報がある場合はＳ１２１２にて投入量表示Ｃを表示し、洗剤量情報と柔軟剤量情報ともに記憶されていなかった場合には、ステップＳ１２１３にて投入量表示Ｄを表示する。
【０１７３】
投入量表示（Ｓ１２１０〜Ｓ１２１３）を所定時間実施した後、Ｓ１２１４にて洗い、すすぎなどの実際の洗濯運転をＳ１２１４で実施した後に、運転を終了する。
【０１７４】
ステップＳ１２１０からＳ１２１３の投入量表示について図１３から１６を用いて説明する。なお、これらの表示は洗濯機１の表示手段２６によって行われる。
【０１７５】
Ｓ１２１１の投入量表示Ａの例が図１３である。洗剤が使用者によって指定されているため、指定洗剤に対する表示であることを示す表示１３０１と共に、投入すべき洗剤量を表示１３０２にて表示している。投入すべき洗剤量は、ステップＳ１２０５もしくはＳ１２０６で決定された水位設定から、洗濯時に利用する水量を算出して基準水量に対する比率を求め、それに対して洗剤量表示データ記憶手段２４ｂに記憶されている基準水量に対する洗剤投入量係数を掛け合わせることで求めることができる。
【０１７６】
柔軟剤に対しても同様に、指定柔軟剤に対する表示であることを示す表示１３０３と共に、投入すべき柔軟剤量を表示１３０４にて表示している。投入すべき柔軟剤量は、洗剤量の場合と同様に求めることができる。
【０１７７】
Ｓ１２１０の投入量表示Ｂの例が図１４である。洗剤は使用者によって指定されているため、図１３と同様に指定洗剤に対する表示であることを示しつつ、投入すべき洗剤量を表示している。柔軟剤について使用者によって指定されておらず、かつ洗濯において柔軟剤の投入は必須では無いため、柔軟剤の投入量の表示は特に実施しない。
【０１７８】
Ｓ１２１２の投入量表示Ｃの例が図１５である。洗剤が使用者によって指定されていないが、通常洗濯において洗剤は必ず投入されると想定されるため、多くの洗剤で有効な洗剤投入量を表示するが、図１３の表示１３０１に相当する指定洗剤に対する表示は行わない。柔軟剤表示に関しては図１３の場合と同様である。
【０１７９】
Ｓ１２１３の投入量表示Ｄの例が図１６である。図１５と同様に、洗剤が使用者によって指定されていないが、通常洗濯において洗剤は必ず投入されると想定されるため、多くの洗剤で有効な洗剤投入量を表示するが、図１３の表示１３０１に相当する指定洗剤に対する表示は行わない。柔軟剤に関しては、図１４の表示と同様に投入量表示を行わない。
【０１８０】
図２７から図２９のフローチャートを使って、運転予約設定と、運転予約動作の動作について説明する。
【０１８１】
図２７のステップ（８）以降は、図７のフローチャートの説明で洗濯機のメニュー画面から運転予約の指示を受付けた場合に実行されるステップである。まずステップＳ２７０１にて、運転予約時に洗濯機１で実行される運転コースを選択するための画面の要求を情報端末１０からサーバ３００に対して送信する。サーバ３００はステップＳ２７２１にて上記の運転コース選択画面の要求を受信すると、Ｓ２７２２にて洗濯機１で運転予約で実行可能な運転コースを選択するためのコース選択画面情報を生成し、次のＳ２７２３にて上記コース選択画面情報を情報端末１０に送信する。
【０１８２】
情報端末１０はＳ２７０２にてコース選択画面情報を受信した後、Ｓ２７０３にてコース選択画面を表示する。
【０１８３】
図２３は、サーバ３００で生成されたコース選択画面情報を元に情報端末１０で表示されるコース選択画面の一例である。大きく分類して、洗い、すすぎ、脱水を実施する洗濯のみのコースを選択する為のボタン１１０１、ボタン１１０２、ボタン１１０３と、洗濯の後に乾燥運転を引き続き運転するコースを選択する為のボタン１１０４、ボタン１１０５、ボタン１１０６とがある。それぞれのボタンを情報端末１０の操作手段１０４を通じて使用者が選択することにより、コースが選択されることとなる。
【０１８４】
コースは使用者の利用目的に応じて洗濯機１の工程動作を大きく変更するための手段であり、例えばボタン１１０２のナイトコースは、夜間に洗濯運転する際に、騒音のレベルを低減させる為に脱水時のモータ回転数を低く抑えて、その変わりに脱水の時間を長くし
て洗い、すすぎでぬれた衣類の脱水性能を維持するコースであり、ボタン１１０３の毛布コースは、大きなひとかたまりの洗濯物を洗濯する為に、すすぎ性能向上の為に高めの水位ですすぎを実施し、脱水時のアンバランスの発生を抑える為に脱水時の回転数の上昇を時間をかけて実施するコースであったりする。それぞれの運転コースは洗濯機１の工程動作が大きく変わるため、運転に要する時間もそれぞれ変化することとなる。特に、洗いから脱水までの工程と比較して乾燥工程には特に長い運転時間を要する。
【０１８５】
図２７のフローチャートの説明に戻る。Ｓ２７０３の画面表示の後、情報端末１０上でＳ２７０４でコースを選択されると、次のＳ２７０５にて情報端末１０は選択されたコースの情報をサーバ３００に送信する。
【０１８６】
サーバ３００はＳ２７５１にて情報端末１０からの選択されたコース情報を受信し、選択されたコースを特定すると、選択されたコースに応じたコースの属性情報をＳ２７５２で情報端末１０に送信する。コースの属性情報とは、該当するコースに関する属性情報である。図３１を用いて本実施例でのコースの属性情報について説明する。図３１は、サーバ３００中のコース情報サーバ記憶手段３０２ｂに記憶されているコースの属性情報のデータベースの一例である。おまかせ、毛布、などのコースに対して、それぞれのコースの予約設定において設定可能な最も早い終了までの時間と、最も遅い終了時間とが記憶されている。この例においては、おまかせコースの設定可能な最も早い終了までの時間は１２０分であり、毛布コースの設定可能な最も早い終了までの時間は１８０分となっている。毛布コースは時間をかけて運転を実施するコースなので、おまかせコースと比較して、コース運転にかかる時間が長い。そのため、運転が終了する時間を予約する際には、おまかせコースよりも遅い時間からしか設定することが出来ない。なお、最も遅い終了時間については、本実施例ではコース共通で２４時間後までとしている。
【０１８７】
情報端末１０は、ステップＳ２７０６にて、上記のコースの属性情報を受信する。次にステップＳ２７０７にて運転予約設定画面を生成し、それを表示する。
【０１８８】
ステップＳ２７０７での運転予約設定画面生成についてより詳細に説明する。まず、受信したコースの属性情報から、運転予約を設定可能な時間帯情報を生成する。これは、情報端末から受信したコースの属性情報の中の、予約設定において設定可能な最も早い終了までの時間と、最も遅い終了時間を、情報端末１０の時計運針手段１０７が運針している現在時刻に足しあわせることで得られる。
【０１８９】
図２４は、Ｓ２７０７にて表示される運転予約設定画面の一例である。画面Ｇ９中には、設定可能時間帯情報を示す表示１２０１と、運転終了時刻を指定するためのボタン１２０２と、前回運転終了予約時刻を今回の運転予約設定の予約時刻として設定する為のボタン１２０３と、運転予約設定を確定させる為のボタン１２０４とがある。運転終了時刻を指定するためのボタン１２０２上には、暫定的に選択されている予約時刻が表示されている。ボタン１２０２を選択して予約時刻を変更したり、ボタン１２０３を選択して今回の運転予約設定の時刻を前回運転終了予約時刻に変更した際には、それぞれに変更に応じてボタン１２０２上の暫定的に選択されている予約時刻も変更される。暫定的に選択されている予約時刻は、ボタン１２０４を選択されることで確定される。ボタン１２０３で前回運転終了予定時刻を呼び出す機能を記載しているが、このボタンを押すことで、サーバ３００で別途記憶している、前回の運転終了予定時刻を暫定的に選択されている予約時刻の表示１２０２に反映されるものであり、サーバ３００から情報端末１０に情報が送信されていることを前提としているが、本実施例では詳細は省略する。
【０１９０】
図２７のフローチャートの説明に戻る。Ｓ２７０７での運転予約設定画面の表示の後、Ｓ２７０８で前回運転終了予約時刻を今回の運転予約設定の予約時刻として設定する操作
が行われた場合はＳ２７０９へ移行する。当該操作は図２４でボタン１２０３が選択されることに対応する。
【０１９１】
Ｓ２７０９では、前回運転終了予約時刻が、Ｓ２７５３にて生成された設定可能時間帯の範囲内か否かによって処理を分岐する。設定可能時間帯の範囲内であれば、Ｓ２７１０へ移行して暫定的に設定されている予約時刻を前回運転終了予約時刻に変更する。範囲外であればＳ２７１１へ移行して、設定可能な時間帯外であることを警告する画面を情報端末１０の報知手段１０３によって表示する。図２６はＳ２７１１で表示する警告画面の一例である。画面Ｇ１１には、図２４の画面Ｇ９と同等の表示の上に警告メッセージである表示１４０１が重ねて表示され、使用者に警告メッセージを提示する。警告メッセージの表示後、一定時間後には運転予約設定画面での操作処理を継続するため、ステップＳ２７０８へと戻る。
【０１９２】
Ｓ２７０８で前回設定時刻の選択操作が行われなかった場合には、ステップＳ２７１２へ移行し、暫定的に選択された時刻を変更する指示が行われたか否かによって処理が分岐する。Ｓ２７１２で時刻を変更する指示が行われた場合とは、図２４の例ではボタン１２０２が選択されることに対応する。この場合は、情報端末１０の報知手段１０３と操作手段１０４を使って、予約時刻を変更するための画面表示、及び操作により設定時刻を変更するための処理Ｓ２７１３を実行する。
【０１９３】
図２５はＳ２７１３で実施する予約時刻設定を変更するための画面の一例である。画面Ｇ１０には、暫定的に選択されている時刻のうち、時間に対応する表示１３０２と、分に対応する表示１３０５とで時刻を表示しており、予約時刻の時間を増やすボタン１３０１と減らすボタン１３０３と、予約時刻の分を増やすボタン１３０４と、減らすボタン１３０６とが配置されている。さらに、本画面Ｇ１０にて操作した結果の時刻設定を無効化するためのボタン１３０７と、時刻設定を反映させるためのボタン１３０８も配置されている。ボタン１３０７を選択すると、ボタン１３０１、ボタン１３０３、ボタン１３０４、ボタン１３０６によって変更じた予約時刻の変更を無効化して元の運転予約設定画面に戻る。ボタン１３０８を選択すると、表示１３０２と表示１３０５で表示されている予約時刻を運転予約設定画面で暫定的に選択されている予約時刻に反映して運転予約設定画面に戻る。
【０１９４】
Ｓ２７１２で設定時刻変更指示がなされていない場合にはステップＳ２７１４へ移行し、運転予約設定を実施する指示がされたか否かによって処理を分岐する。運転予約設定を実施する指示が無ければ、Ｓ２７０８以降の運転予約設定画面での操作処理を継続する。運転予約設定を実施する指示が有った場合には、ステップ（９）以降の処理を実施する。
【０１９５】
ステップ（９）以降の処理を図２８のフローチャートを使って説明する。
【０１９６】
情報端末１０はＳ２８０１にて、運転予約設定画面において設定された運転予約の時刻情報と、情報端末１０の時計運針手段１０７にて運針中の現在時刻をサーバ３００に送信する。
【０１９７】
サーバ３００はＳ２８２１にて運転予約の時刻情報と、情報端末１０で運針中の現在時刻を受信すると、次のステップＳ２８２２にて、その運転予約の時刻情報で、使用者情報サーバ記憶手段３０２ａに記録された使用者情報データベース中の、当該使用者特定情報と当該センタ機特定情報とで特定される情報のうち、前回運転終了予約時刻を更新する。これにより、次回の運転予約設定時に、前回の設定時間として今回設定された時刻情報を利用することができる。
【０１９８】
Ｓ２８２２の後、ステップＳ２８２３でサーバ３００はコマンド生成部３０３ｂにより、洗濯機１に運転予約設定を行う為の設定コマンドを生成する。設定コマンドには、少なくともＳ２７２１で受信した選択されたコースを特定するための情報と、そのコースの運転を現在時刻から何分後に終了するかの情報とが含まれる。運転を現在時刻から何分後に終了するかの情報は、Ｓ２８２１で受信した運転を終了する設定時刻から情報端末１０の時計運針手段１０７にて管理している現在時刻との差分によって算出される。
【０１９９】
次にステップＳ２８２４にて、生成された運転予約設定の為の設定コマンドを情報端末１０に送信する。
【０２００】
情報端末１０ではＳ２８０２にて運転予約設定の為の設定コマンドを受信すると、Ｓ２８０３にて使用者に洗濯機１と情報端末１０を近づけて通信が可能となるように指示する画面を表示する。
【０２０１】
次にＳ２８０４にて洗濯機１との間の通信確立の処理を実行する。通信確立の処理は以下のようにして行われる。情報端末１０制御手段１０５は、第１通信手段１０１に対して、通信確立の処理の実行を指示する。第１通信手段１０１は、近接無線通信で応答することが可能な通信相手が近接しているかを確認するため、ループアンテナ１０６を介してポーリングコマンドを無線にて送信する。このポーリングコマンドに応答するレスポンスコマンドが洗濯機１から無線発信されてきた場合は、通信確立が実現されたとし、次のＳ２８０７の処理へ進む。ポーリングコマンドに対するレスポンスコマンドの応答が無かった場合には、ステップＳ２８０５へ進む。
【０２０２】
Ｓ２８０５では、通信指示画面を表示してからの経過した時間と、所定のタイムアウト判定用の時間とを比較し、所定の時間を経過した場合には、Ｓ２８０６へ進んで使用者に通信が行えなかったことを報知する。図３４は上記Ｓ２８０６で情報端末１０で表示される画面の一例であり、表示３４０１にて洗濯機１との通信が出来なかったことを報知している。もしもタイムアウト判定用の時間が経過していない場合には、Ｓ２８０３からの、使用者に機器を近づけることを指示しつつ、通信確立を再度実行する一連の処理を再度行う。
【０２０３】
ステップＳ２８０４で通信確立が出来た場合は、情報端末１０はＳ２８０７で洗濯機１への時刻情報の送信を行うかどうかの判定を行う。この判定には、図６のＳ６０８にて取得した洗濯機特定情報の中の洗濯機１に時計運針手段２８が搭載されているか否かの情報を利用する。すなわち、洗濯機１に時計運針手段２８が搭載されている場合には、時刻情報を送信することとしてステップＳ２８０８へ進む。洗濯機１に時計運針手段２８が搭載されていない場合には、ステップＳ２８１０へ進む。
【０２０４】
Ｓ２８０７にて時刻情報を送信することとなった場合、次にＳ２８０８へすすみ、情報端末１０は、時計運針手段１０７で運針している現在時刻を、第１通信手段を介し近接無線通信にて洗濯機１へ送信する。
【０２０５】
洗濯機１はＳ２８４１にて、Ｓ２８０８で情報端末１０から送信された現在時刻を受信する。次にＳ２８４２にて、受信した現在時刻を、仮に仮時刻運針制御部２３ｆにて運針開始する。仮時刻運針制御部２３ｆでの時刻運針の処理は、時計運針手段２８での処理同等であり、洗濯機１中のマイコンのタイマー機能を利用して、所定の単位の時間の経過を検知し、その経過時間を積算して現在時刻の更新を行うことで実現される。ただし、仮時刻運針制御部２３ｆでの現在時刻の運針は、後述するステップＳ２８４６までの間の一時的な処理であり、電池などのバッテリによる給電は必要ない。この仮時刻運針制御部２３ｆでの現在時刻の運針により、情報端末１０から受信した時刻が続く処理の間に現在時刻
とずれてしまうことを防ぐことができる。
【０２０６】
次に、洗濯機１はＳ２８４３にて時刻情報を受信したことを情報端末１０に通知するために、受信完了通知を送信する。情報端末１０は、Ｓ２８０９にて受信完了通知を受信すると、ただちに次のＳ２８１０へ進む。
【０２０７】
情報端末１０はＳ２８１０にて、Ｓ２８０２で受信した設定コマンドを洗濯機１に送信する。
【０２０８】
洗濯機１はＳ２８４４にて設定コマンドを受信すると、Ｓ２８４５にて設定コマンドによる予約設定を反映する処理を実行する。
【０２０９】
上記のＳ２８４５の予約設定反映処理については、図３５を用いて説明する。
【０２１０】
予約設定反映処理が開始されると、まずＳ３５０１にて、仮時刻運針制御部２３ｆにて仮受付した時刻情報があるか否かを判定し、ある場合にはＳ３５０２へ、無い場合はＳ３５０７へ進む。
【０２１１】
Ｓ３５０２では、仮時刻運針制御部にて一時的に運針している現在時刻を時計運針手段２８で運針している現在時刻に上書きを行い、洗濯機１での現在時刻を、情報端末１０から送信された現在時刻で上書きする。
【０２１２】
次にＳ３５０３で、Ｓ３５０２で更新した現在時刻にＳ２８４４で受信した設定コマンドの中のコースの運転を現在時刻から何分後に終了するかの情報の時間を足しあわせ、運転終了時刻を算出する。ここで算出された運転終了時刻は、使用者がＳ２７０７で設定した運転終了時刻と異なる場合があるが、これは使用者を混乱させるので回避するのが良い。両者が異なるのは、Ｓ２８２３で生成された設定コマンド中のコースの運転を現在時刻から何分後に終了するかの情報を作成するのに利用した、Ｓ２８０１で送ったサーバ３００に情報端末１０が送った現在時刻と、Ｓ２８０８にて情報端末１０から洗濯機１に送った現在時刻とに差異があるからである。
【０２１３】
この差異は、Ｓ２８０３からＳ２８０７までの間の時間が占めている。すなわち、情報端末１０を洗濯機１に近づけるように指示された使用者が、実際に近づける行為を行って通信が可能になるまでの時間である。ただし、Ｓ２８０５にてタイムアウト処理が行われている為、タイムアウトを判定するための所定の時間が短ければ、両者の時間の差異を短く制限することが出来る。
【０２１４】
この時間の差異が、洗濯機の運転終了時刻として設定可能な時間単位よりも充分に短くしておけば、洗濯機１の本体での設定可能な時間が制限されているため、洗濯機１の本体での設定可能な時間に補正することで、使用者がＳ２７０７で設定した運転終了時刻を得ることが出来る。この処理をＳ３５０４にて行う。洗濯機１での運転予約の画面の例として図３２の説明で記載したように、洗濯機１本体での設定可能な終了予定時刻は１０分単位とすれば、Ｓ２８０５のタイムアウトまでの時間を１０分よりも短く、たとえば３分とすればよい。
【０２１５】
たとえば、情報端末１０の現在時刻が、Ｓ２８０１の段階で１２：３１であり、使用者が運転予約の際に指定した運転終了時刻を１５：００としていたとする。すると、Ｓ２８２３にてサーバ３００が生成する設定コマンドの中の運転を現在時刻から何分後に終了するかの情報は１７９分となる。情報端末１０と洗濯機１との間の通信が確立するまでにＳ２８０５でのタイムアウトする３分直前までかかったとすると、Ｓ２８０８で送信される
情報端末１０の現在時刻は１２：３４となる。Ｓ２８４５中の、Ｓ３５０３で洗濯機１で算出される運転終了時刻は、１２：３４の１７９分後なので、１５：０３となる。ここで、洗濯機１の運転終了時刻は１０分単位であるから、１５：０３の一つ前の１５：００がＳ３５０４の運転時間補正処理にて選択されることとなるわけである。
【０２１６】
このようにすることで、洗濯機１は、情報端末１０から送られてきた、情報端末１０の現在時刻と、情報端末１０の現在時刻と使用者が運転予約した際に指定した時刻の差分の時間とから、使用者が運転予約した際に指定した時刻を再構成して得ることができる。
【０２１７】
なお、厳密には、サーバ３００と情報端末１０、情報端末１０と洗濯機１の間の送受信時間などが時刻の誤差として追加されるが、使用者による情報端末１０と洗濯機１を近づけるまでの時間と比較すれば無視できるほど小さい。
【０２１８】
次にＳ３５０５にて予約設定の反映処理を行う。すなわち、洗濯機１の設定を、Ｓ２８４４で受信したコースを選択した状態とし、かつ運転終了時刻を先のＳ３５０４にて得た時刻を設定する。
【０２１９】
その次に、Ｓ３５０６にて、上記の予約設定の反映を行った状態を示す画面を、洗濯機１の表示手段２６にて表示する。図３３はこの時に表示される画面の一例である。表示３３０２で、Ｓ３５０４にて得た時刻を運転予約の情報として表示し、予約設定反映処理を終了する。
【０２２０】
Ｓ３５０１にて仮受付時刻情報が無かった場合は、Ｓ３５０７にて予約設定反映処理を実施する。Ｓ３５０５の反映処理に似た内容だが、この場合は時刻情報を受け付けておらず、洗濯機１の時計運針手段２８が機能していない場合である。そのため、運転終了までの設定は時刻としてではなく、Ｓ２８４４で受信した設定コマンドの中の運転を現在時刻から何分後に終了するかの情報を使う。次にＳ３５０８で、洗濯機１の表示手段２６にて予約設定の反映を行った状態を示す画面を表示する。なお、この画面に関しては図示しない。
【０２２１】
この図３５の予約設定反映処理中では、図９および図３０を使って説明を行った、洗剤および柔軟剤設定の送信の場合の時刻送信とは違い、時刻情報受付可能か否かの判定、すなわちＳ３００１に相当する処理は行わない。
【０２２２】
これは、続くＳ３５０５にて運転予約設定の反映する処理、およびＳ３５０６での画面表示処理を行うことで、それ以前の洗濯機１の表示状態や、設定状態が上書きされることが決まっているからである。そのため、図９の洗剤や柔軟剤の設定のための通信にあわせて時刻情報を送った際の処理結果では受け付けないとしていた例であっても、時刻情報を受け付け、情報端末１０の現在時刻で洗濯機１の現在時刻を上書きすることができる。
【０２２３】
次にＳ２８４６にて設定コマンドの受信が完了したことを通知するための送信を情報端末１０に対して実施する。運転予約の設定の後の、洗濯機１での運転予約動作の実施については、ステップ（１０）以降として後述する。
【０２２４】
情報端末１０はＳ２８１１にて洗濯機１からコマンド受信完了通知を受信した後、使用者に対して設定が完了したことを通知する画面を表示（ステップＳ２８１２）する。これにより、使用者による運転予約設定情報および情報端末１０の現在時刻を洗濯機１に設定する処理が終了する。
【０２２５】
図２９のフローチャートを使って、洗濯機１での運転予約動作について説明する。
【０２２６】
図２８のＳ２８４５で洗濯機１に予約設定が反映された状態となるが、実際の予約動作はＳ２８４５の時点では開始されておらず、Ｓ２９０２にて運転開始を受付けないかぎりは、予約動作を行わない。Ｓ２９０２で使用者により操作手段２５を操作して予約動作の運転開始を受付けると、次のステップＳ２９０３にて布量を判定するための工程を実施する。布量の判定動作は、制御手段２３の布量検知部２３ｄにより洗濯手段２１を制御することで実施される。
【０２２７】
次のステップＳ２９０４で運転予約制御部２３ｅは、布量の判定結果により、布量に応じた適切なコース運転を実施するための運転時間を算出する。布量に応じた適切なコース運転の例としては、布量が多い場合には、洗い時間を長くして洗浄性能を確保したり、使用する水量を多くすることから給水や排水にかかる時間が長くこと、乾燥時間が長くなることを反映させることなどがあげられる。
【０２２８】
次のステップＳ２９０５で運転予約制御部２３ｅは、Ｓ２８４４で受信した設定コマンドで指定されていた、運転を何分後に終了するかの設定時間から、Ｓ２９０４で算出したコース運転の運転時間を減算し、運転を開始すべきタイミングまでに待機すべき時間を算出する。なお、洗濯機１の時計運針手段２８が機能している場合は、Ｓ３５０４で得られた運転終了時刻に対して、Ｓ２９０４で算出したコース運転の運転時間を減算し、運転を開始すべきタイミングまでに待機すべき時間を算出する。
【０２２９】
その後洗濯機１の運転予約制御部２３ｅはＳ２９０６で、Ｓ２９０５で算出した待機時間経過の判定を行う。待機時間経過後、洗濯機１ではＳ２９０７で洗濯運転を実施することで、運転予約動作を終了する。
【０２３０】
上記実施の形態で説明した構成及び動作シーケンスによって、本発明の洗濯機システムでは、情報端末１０の現在時刻を洗濯機１に対して送信するにあたり、使用者に時計合わせをしていることを意識させることなく、簡便に実現することができる。
【０２３１】
なお、本実施の形態において、洗濯機１には時計運針手段２８があることを前提としていたが、これに限定されるものではない。洗濯機１に時計運針手段２８が存在しなくても、電源供給が続く仮時刻運針制御部２３ｆにて運針した現在時刻を元に洗濯機１を動作させても良い。この場合は、洗濯機１への電源供給が絶たれた後は、現在時刻を運針し続けることができなくなるが、再度情報端末１０と洗濯機１との通信を行えば、現在時刻を使っての操作表示を洗濯機１上で実現することができる。
【０２３２】
なお、本実施の形態において、情報端末１０と洗濯機１の間の通信をループアンテナを介した近距離無線通信としたが、これに限定されるものではない。Ｗｉ−Ｆｉなどの無線ＬＡＮによって複数端末間の通信が可能な方式で情報端末１０と洗濯機１間の通信を行っても良いし、赤外線通信などの１対１の通信方式を利用しても良い。
【０２３３】
なお、情報端末１０がネットワーク２００に接続する通信もＷｉ−Ｆｉなどの無線ＬＡＮとしても良い。
【０２３４】
なお、本実施の形態において、情報端末１０の現在時刻で時計合わせを行う機器を洗濯機としたが、これに限定されるものではない。何らかの時刻情報を元に動作する電気機器であれば良く、たとえば、衣類乾燥機、食器洗い乾燥機などであっても良い。
【産業上の利用可能性】
【０２３５】
以上のように、本発明にかかる洗濯機システムは、情報端末から洗濯機に予約設定など
の洗濯運転に関する情報を送信する際に、あわせて情報端末上の現在時刻を送信することで、使用者に対して意識させることなく、簡便に時計合わせを行うことができる。洗濯機システムの他にも、食器洗い乾燥機システムなどの各種洗浄装置にも適用することができる。
【符号の説明】
【０２３６】
１  洗濯機
１０  情報端末
２１  洗濯手段
２２  通信手段
２３  制御手段
２３ａ  工程管理部
２３ｂ  水位決定部
２３ｃ  応答内容決定部
２３ｄ  布量検知部
２３ｅ  運転予約制御部
２３ｆ  仮時刻運針制御部
２４  記憶手段
２４ａ  洗濯機特定情報記憶部
２４ｂ  洗剤量表示データ記憶手段
２４ｃ  柔軟剤量表示データ記憶手段
２４ｄ  すすぎ回数設定記憶手段
２５  操作手段
２６  表示手段
２７  ループアンテナ
２８  時計運針手段
１０１  第１通信手段
１０２  第２通信手段
１０３  報知手段
１０４  操作手段
１０５  制御手段
１０５ａ  表示制御部
１０５ｂ  第１通信制御部
１０５ｃ  第２通信制御部
１０６  ループアンテナ
１０７  時計運針手段
２００  ネットワーク
３００  サーバ
３０２ａ  使用者情報サーバ記憶手段
３０２ｂ  コース情報サーバ記憶手段
３０３ａ  画面情報生成部
３０３ｂ  コマンド生成部
【図１】
0006051408.tif 000002
【図２】
0006051408.tif 000003
【図３】
0006051408.tif 000004
【図４】
0006051408.tif 000005
【図５】
0006051408.tif 000006
【図６】
0006051408.tif 000007
【図７】
0006051408.tif 000008
【図８】
0006051408.tif 000009
【図９】
0006051408.tif 000010
【図１０】
0006051408.tif 000011
【図１１】
0006051408.tif 000012
【図１２】
0006051408.tif 000013
【図１３】
0006051408.tif 000014
【図１４】
0006051408.tif 000015
【図１５】
0006051408.tif 000016
【図１６】
0006051408.tif 000017
【図１７】
0006051408.tif 000018
【図１８】
0006051408.tif 000019
【図１９】
0006051408.tif 000020
【図２０】
0006051408.tif 000021
【図２１】
0006051408.tif 000022
【図２２】
0006051408.tif 000023
【図２３】
0006051408.tif 000024
【図２４】
0006051408.tif 000025
【図２５】
0006051408.tif 000026
【図２６】
0006051408.tif 000027
【図２７】
0006051408.tif 000028
【図２８】
0006051408.tif 000029
【図２９】
0006051408.tif 000030
【図３０】
0006051408.tif 000031
【図３１】
0006051408.tif 000032
【図３２】
0006051408.tif 000033
【図３３】
0006051408.tif 000034
【図３４】
0006051408.tif 000035
【図３５】
0006051408.tif 000036